(57)【要約】【課題】画質の低下を抑制することが可能な表示装置を提供することにある。【解決手段】実施形態において、表示パネルには、第１〜第４副画素を含み、画素配列の第１行を構成する複数の第１画素と、第１〜第４副画素を含み、第１行と列方向に隣接する第２行を構成する複数の第２画素とが配置されている。表示制御部は、第１〜第３副画素の輝度値を含む第１画像信号を入力して表示パネルに画像を表示する。複数の第１画素及び複数の第２画素は、複数の第１画素に含まれる第１副画素と複数の第２画素に含まれる第３副画素とが互いに隣接するように配置されている。表示制御部は、第１画像信号を第１〜第４副画素の輝度値を含む第２画像信号に変換する変換処理を実行する。表示制御部は、変換処理が実行された場合に表示パネル内で表現することができなくなる第１画像信号に含まれる第３副画素の輝度値に基づいて第２画像信号を変更する。【選択図】図１５
2020008662.tif 000002
【特許請求の範囲】
【請求項１】
行方向に並べられた第１副画素、第２副画素、第３副画素及び第４副画素を含み、画素配列の第１行を構成する複数の第１画素と、前記行方向に並べられた第１副画素、第２副画素、第３副画素及び第４副画素を含み、前記画素配列において前記第１行と列方向に隣接する第２行を構成する複数の第２画素とが列方向に交互に配置された表示パネルと、
前記画素配列の各行に対応する前記第１副画素、前記第２副画素及び前記第３副画素の輝度値を含む第１画像信号を入力して前記表示パネルに画像を表示する表示制御部と
を具備し、
前記複数の第１画素及び前記複数の第２画素は、当該複数の第１画素に含まれる第１副画素と当該複数の第２画素に含まれる第３副画素とが列方向において互いに隣接するように配置されており、
前記表示制御部は、
前記入力された第１画像信号を、前記第１副画素、前記第２副画素、前記第３副画素及び前記第４副画素の輝度値を含む第２画像信号に変換する変換処理を実行し、
前記変換処理が実行された場合に、前記第１行を構成する複数の第１画素と前記第２行を構成する複数の第２画素とに基づく画素配列に起因して前記表示パネル内で表現することができなくなる前記第１画像信号に含まれる前記第３副画素の輝度値に基づいて、前記第２画像信号に含まれる第３副画素の輝度値を変更し、
前記第３副画素の輝度値が変更された第２画像信号に基づいて、前記表示パネルに前記画像を表示する
表示装置。
【請求項２】
前記第１行の始端には前記第１副画素が配置されており、前記第１行の終端には前記第４副画素が配置されており、
前記第２行の始端には前記第３副画素が配置されており、前記第２行の終端には前記第２副画素が配置されており、
前記表示制御部は、前記変換処理によって前記第２行の終端に配置されている第２副画素の次の第３副画素で表現することになる前記第１画像信号に含まれる当該第２行に対応する第３副画素の輝度値を、当該第２行の次の第１行の終端に配置されている第１画素に含まれる第３副画素の輝度値に加算することによって当該第３副画素の輝度値を変更する
請求項１記載の表示装置。
【請求項３】
前記表示制御部は、前記変換処理によって前記第１行の始端に配置されている第１画素に含まれる第３副画素で表現することになる前記第１画像信号に含まれる前記第２行に対応する第３副画素の輝度値を、当該第２行の始端に配置されている第２画素に含まれる第３副画素の輝度値に加算することによって当該第３副画素の輝度値を変更する請求項２記載の表示装置。
【請求項４】
前記第１副画素は、赤色の波長帯域に対応する光を出力する副画素であり、
前記第２副画素は、緑色の波長帯域に対応する光を出力する副画素であり、
前記第３副画素は、青色の波長帯域に対応する光を出力する副画素であり、
前記第４副画素は、白色の波長帯域に対応する光を出力する副画素である
請求項１〜３のいずれか一項に記載の表示装置。
【請求項５】
前記表示制御部は、前記変換処理によって前記第１行の終端に配置されている第４副画素の次の第１副画素で表現されることになる前記第１画像信号に含まれる当該第１行に対応する第１副画素の輝度値を、当該第１行の次の第２行の終端に配置されている第２画素に含まれる第１副画素の輝度値に加算する請求項２記載の表示装置。
【請求項６】
前記第１副画素は、赤色の波長帯域に対応する光を出力する副画素であり、
前記第２副画素及び前記第４副画素は、緑色の波長帯域に対応する光を出力する副画素であり、
前記第３副画素は、青色の波長帯域に対応する光を出力する副画素である
請求項５記載の表示装置。
【請求項７】
前記第１副画素は、赤色の波長帯域に対応する光を出力する副画素であり、
前記第２副画素及び前記第４副画素は、それぞれ黄色と緑色の間の波長帯域に対応する光を出力する副画素及び緑色と青色の間の波長帯域に対応する光を出力する副画素を含み、
前記第３副画素は、青色の波長帯域に対応する光を出力する副画素である
請求項５記載の表示装置。
【発明の詳細な説明】
【技術分野】
【０００１】
本発明の実施形態は、表示装置に関する。
【背景技術】
【０００２】
表示装置には複数の画素が配置されているが、当該画素はそれぞれ複数の副画素を含む。表示装置においては、この複数の副画素がそれぞれ異なる色の光を出力することにより、各画素で様々な色を表現することができる。
【０００３】
各画素には例えば赤色（Ｒ）、緑色（Ｇ）及び青色（Ｂ）の光をそれぞれ出力する３つの副画素が含まれていることが一般的であるが、近年では、このＲ、Ｇ及びＢに加えて、例えば白色（Ｗ）の光を出力する副画素を更に含む画素が配置された表示装置が知られている。
【０００４】
ここで、ＲＧＢＷの光をそれぞれ出力する４つの副画素を含む画素が配置された表示装置に対してＲＧＢの輝度値を含む画像信号が入力された場合には、当該画像信号をＲＧＢＷの輝度値を含む画像信号に変換する必要がある。
【０００５】
しかしながら、このように変換されたＲＧＢＷの輝度値を含む画像信号に基づいて画像を表示した場合には、画質が低下する場合がある。
【先行技術文献】
【特許文献】
【０００６】
【特許文献１】特開２０１５−１９７４６１号公報
【発明の概要】
【発明が解決しようとする課題】
【０００７】
そこで、本発明が解決しようとする課題は、画質の低下を抑制することが可能な表示装置を提供することにある。
【課題を解決するための手段】
【０００８】
実施形態に係る表示装置は、表示パネルと、表示制御部とを具備する。前記表示パネルには、行方向に並べられた第１副画素、第２副画素、第３副画素及び第４副画素を含み、画素配列の第１行を構成する複数の第１画素と、前記行方向に並べられた第１副画素、第２副画素、第３副画素及び第４副画素を含み、前記画素配列において前記第１行と列方向に隣接する第２行を構成する複数の第２画素とが列方向に交互に配置されている。前記表示制御部は、前記画素配列の各行に対応する前記第１副画素、前記第２副画素及び前記第３副画素の輝度値を含む第１画像信号を入力して前記表示パネルに画像を表示する。前記複数の第１画素及び前記複数の第２画素は、当該複数の第１画素に含まれる第１副画素と当該複数の第２画素に含まれる第３副画素とが列方向において互いに隣接するように配置されている。前記表示制御部は、前記入力された第１画像信号を、前記第１副画素、前記第２副画素、前記第３副画素及び前記第４副画素の輝度値を含む第２画像信号に変換する変換処理を実行する。前記表示制御部は、前記変換処理が実行された場合に、前記第１行を構成する複数の第１画素と前記第２行を構成する複数の第２画素とに基づく画素配列に起因して前記表示パネル内で表現することができなくなる前記第１画像信号に含まれる前記第３副画素の輝度値に基づいて、前記第２画像信号に含まれる第３副画素の輝度値を変更する。前記表示制御部は、前記第３副画素の輝度値が変更された第２画像信号に基づいて、前記表示パネルに前記画像を表示する。
【図面の簡単な説明】
【０００９】
【図１】第１の実施形態に係る表示装置の構成を概略的に示す斜視図。
【図２】表示装置の回路構成の一例を示す図。
【図３】本実施形態にける画素配列の一例について説明するための図。
【図４】各画素が３つの副画素を含む場合の画素配列の一例を示す図。
【図５】表示パネルに画像を表示する際の表示装置の処理手順の一例を示すフローチャート。
【図６】ＲＧＢ画像信号をＲＧＢＷ画像信号に変換する変換処理の一例について説明するための図。
【図７】十字の白色の線を表示するためのＲＧＢ画像信号の一例を示す図。
【図８】ＲＧＢ画像信号から変換されたＲＧＢＷ画像信号の一例を示す図。
【図９】第１ＲＧＢ画像信号から抽出された色成分と第２ＲＧＢ画像信号から抽出された色成分とから算出された輝度値が割り当てられる副画素について説明するための図。
【図１０】第１ＲＧＢ画像信号から抽出された色成分と第２ＲＧＢ画像信号から抽出された色成分とから算出された輝度値が割り当てられる副画素について説明するための図。
【図１１】第１ＲＧＢ画像信号から抽出された色成分と第２ＲＧＢ画像信号から抽出された色成分とから算出された輝度値が割り当てられる副画素について説明するための図。
【図１２】第１ＲＧＢ画像信号から抽出された色成分と第２ＲＧＢ画像信号から抽出された色成分とから算出された輝度値が割り当てられる副画素について具体的に説明するための図。
【図１３】第１ＲＧＢ画像信号から抽出された色成分と第２ＲＧＢ画像信号から抽出された色成分とから算出された輝度値が割り当てられる副画素について具体的に説明するための図。
【図１４】ＲＧＢ画像信号と変換処理によって当該ＲＧＢ画像信号から変換されたＲＧＢＷ画像信号との対応関係を表す図。
【図１５】レンダリング処理における副画素の輝度値の変更について概念的に説明するための図。
【図１６】レンダリング処理のアルゴリズムの具体例について説明するための図。
【図１７】画素に含まれる副画素の配置が逆である場合に実行されるレンダリング処理について説明するための図。
【図１８】第２の実施形態におけるＲＧＢ画像信号と変換処理によって当該ＲＧＢ画像信号から変換されたＲＧＢ画像信号との対応関係を表す図。
【図１９】レンダリング処理における副画素の輝度値の変更について概念的に説明するための図。
【図２０】レンダリング処理のアルゴリズムの具体例について説明するための図。
【図２１】画素に含まれる副画素の配置が逆である場合に実行されるレンダリング処理について説明するための図。
【図２２】第３の実施形態における画素配列の一例について説明するための図。
【図２３】ＲＧＢ画像信号をＲＧＢＷ画像信号に変換する変換処理の一例について説明するための図。
【図２４】十字の白色の線を表示するためのＲＧＢ画像信号の一例を示す図。
【図２５】ＲＧＢ画像信号から変換されたＲＧＢＷ画像信号の一例を示す図。
【図２６】ＲＧＢ画像信号と変換処理によって当該ＲＧＢ画像信号から変換されたＲＧＢＧ画像信号との対応関係を表す図。
【図２７】レンダリング処理における副画素の輝度値の変更について概念的に説明するための図。
【図２８】第４の実施形態における画素配列の一例について説明するための図。
【図２９】表示パネルに画像を表示する際の表示装置の処理手順の一例を示すフローチャート。
【図３０】ＲＧＢ画像信号から４色画像信号への変換について説明するための図。
【図３１】４色画像信号をＲＧＢＷ画像信号に変換する変換処理の一例について説明するための図。
【発明を実施するための形態】
【００１０】
以下、図面を参照して、各実施形態について説明する。  
なお、開示はあくまで一例に過ぎず、当業者において、発明の趣旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一または類似の要素については符号を省略することがある。また、本明細書と各図において、既出の図に関して前述したものと同一または類似した機能を発揮する構成要素には同一の参照符号を付し、重複する詳細な説明を省略することがある。
【００１１】
（第１実施形態）  
図１は、本実施形態に係る表示装置の構成を概略的に示す斜視図である。図１は、第１方向Ｘと、第１方向Ｘに垂直な第２方向Ｙと、第１方向Ｘ及び第２方向Ｙに垂直な第３方向Ｚによって規定される三次元空間を示している。なお、第１方向Ｘ及び第２方向Ｙは互いに直行しているが、９０°以外の角度で交差していてもよい。また、本実施形態において、第３方向Ｚを上と定義し、第３方向Ｚと反対側の方向を下と定義する。「第１部材の上の第２部材」及び「第１部材の下の第２部材」とした場合、第２部材は、第１部材に接していてもよく、第１部材から離れて位置していてもよい。
【００１２】
以下、本実施形態においては、表示装置１０が液晶層を用いた液晶表示装置であるものとして説明するが、表示装置１０は、有機発光層を用いた有機エレクトロルミネッセンス（ＥＬ：Electro Luminescence）表示装置またはＬＥＤ（Light Emitting Diode）を用いたＬＥＤ表示装置等であってもよい。
【００１３】
図１に示す表示装置１０は、表示パネル１１を備える。表示パネル１１は、一例では矩形状である。図示した例では、表示パネル１１の短辺は第１方向Ｘと並行であり、表示パネル１１の長辺は第２方向Ｙと平行である。第３方向Ｚは、表示パネル１１の厚さ方向に相当する。表示パネル１１の主面は、第１方向Ｘと第２方向Ｙとにより規定されるＸ−Ｙ平面に平行である。
【００１４】
表示パネル１１は、第１基板１１１（アレイ基板）と、当該第１基板１１１に対向配置された第２基板１１２（対向基板）と、第１基板１１１及び第２基板１１２の間に形成された液晶層（図示せず）とを備える。なお、例えば第１基板１１１上には、表示パネル１１を駆動するパネルドライバ（表示制御部）１１３が搭載されている。
【００１５】
また、表示パネル１１は、画像を表示する領域である表示領域ＤＡを有する。表示領域ＤＡ（表示パネル１１）には、複数の画素ＰＸが配置（配列）されている。
【００１６】
更に、表示パネル１１の外部には例えばホスト装置ＨＯＳが設けられ、当該ホスト装置ＨＯＳは、フレキシブル配線基板ＦＰＣ１及びパネルドライバ１１３を介して、表示パネル１１に接続されている。
【００１７】
パネルドライバ１１３は、例えばホスト装置ＨＯＳから出力される画像信号を入力し、当該画像信号に基づいて表示領域ＤＡに配置されている各画素ＰＸを駆動することによって、表示パネル１１に画像を表示することができる。
【００１８】
第１基板１１１の下側（つまり、表示パネル１１の背面側）には、表示パネル１１を照明する照明具としてバックライトユニット１２が配置されている。フレキシブル配線基板ＦＰＣ２は、バックライトユニット１２とホスト装置ＨＯＳとを接続する。バックライトユニット１２としては、種々の形態のバックライトユニットが利用可能であり、光源としては、発光ダイオード（ＬＥＤ）を利用したもの及び冷陰極管（ＣＣＦＬ）を利用したもの等がある。ここでは、表示パネル１１の背面側に配置されるバックライトユニット１２を使用する場合について説明したが、当該表示パネル１１の表示面側に配置されるフロントライトが使用されても構わない。また、導光板とそのサイドに配置されるＬＥＤまたは冷陰極管を用いた照明具が使用されてもよいし、発光素子を平面的に配列した点状光源を用いた照明具が使用されてもよい。なお、表示装置１０が有機ＥＬ表示装置またはＬＥＤ表示装置である場合には、表示装置１０は照明具を備えない構成であってもよい。
【００１９】
また、本実施形態における表示パネル１１は、透過型、反射型、半透過型のいずれであってもよい。透過型の表示パネル１１が適用された表示装置１０は、上記したように第１基板１１１の背面側にバックライトユニット１２を備え、当該バックライトユニット１２からの光を選択的に透過させることで画像を表示する透過表示機能を有している。反射型の表示パネル１１が適用される表示装置１０は、光を反射する反射層を液晶層より表示パネル１１の背面側に有し、第２基板１１２の前面側（表示面側）からの光を選択的に反射させることで画像を表示する反射表示機能を有している。なお、反射型の表示パネル１１の前面側には、補助光源が備えられてもよい。また、反射層は、金属等の反射機能を有する材料で液晶層より表示パネル１１の背面側にある電極を形成するように構成されていてもよい。反透過型の表示パネル１１が適用される表示装置１０は、上記した透過表示機能及び反射表示機能を有している。
【００２０】
図２は、図１に示す表示装置の回路構成の一例を示す。図２において、表示装置１０は、走査線駆動部２１、データ信号線駆動部２２及び電源線駆動部２３を備える。
【００２１】
ここで、表示パネル１１の表示領域ＤＡには、複数の画素ＰＸが配置されている。図２においては、便宜的に、複数の画素ＰＸのうちの１つのみを示している。なお、本実施形態における複数の画素ＰＸの配置（画素配列）の詳細については後述する。
【００２２】
画素ＰＸは、例えば４つの副画素（サブピクセル）ＳＲ、ＳＧ、ＳＢ及びＳＷを含む。副画素ＳＲは、赤色の波長帯域に対応する光（赤色成分の光）を出力する副画素である。副画素ＳＧは、緑色の波長帯域に対応する光（緑色成分の光）を出力する副画素である。副画素ＳＢは、青色の波長帯域に対応する光（青色成分の光）を出力する副画素である。副画素ＳＷは、白色の波長帯域に対応する光（白色成分の光）を出力する副画素である。なお、画素ＰＸにおいて、副画素ＳＲ、ＳＧ、ＳＢ及びＳＷは、例えば行方向（第２方向Ｙ）に並べて配置されている。
【００２３】
また、表示領域ＤＡには、複数の画素ＰＸの行方向に沿って延伸する複数の走査線ＷＳＬと、当該複数の走査線ＷＳＬと並行して延伸する複数の電源線ＤＳＬと、当該複数の画素ＰＸの列方向（第１方向Ｘ）に沿って延伸する複数のデータ信号線ＳＧＬとが更に配置されている。走査線ＷＳＬの一端は、走査線駆動部２１に接続される。データ信号線ＳＧＬの一端は、データ信号線駆動部２２に接続される。電源線ＤＳＬの一端は、電源線駆動部２３に接続される。
【００２４】
上記した各副画素ＳＲ、ＳＧ、ＳＢ及びＳＷは、走査線ＷＳＬとデータ信号線ＳＧＬの交点に配置されている。
【００２５】
ここで、副画素ＳＲの構成について説明する。図２に示すように、副画素ＳＲは、画素スイッチＳＷを備える。画素スイッチＳＷは、薄膜トランジスタ（ＴＦＴ：Thin Film Transistor）を含む。画素スイッチＳＷのゲート電極は、対応する走査線ＳＷＬと電気的に接続されている。画素スイッチＳＷのソース電極及びドレイン電極の一方は、対応する信号線ＳＧＬと電気的に接続されている。画素スイッチＳＷのソース電極及びドレイン電極の他方は、対応する画素電極ＰＥと接続されている。
【００２６】
なお、走査線駆動部２１は、走査線ＷＳＬにオン電圧を印加して、当該走査線ＷＳＬに電気的に接続された画素スイッチＳＷのゲート電極にオン電圧を供給する。これによれば、ゲート電極にオン電圧が供給された画素スイッチＳＷのソース電極−ドレイン電極間が導通する。
【００２７】
データ信号線駆動部２２は、信号線ＳＧＬのそれぞれに対応する出力信号（画像信号）を供給する。信号線ＳＧＬに供給された信号は、ソース電極−ドレイン電極間が導通した画素スイッチＳＷを介して、対応する画素電極ＰＥに印加される。
【００２８】
電源線駆動部２３は、共通電極ＣＯＭＥに駆動信号を供給する（駆動電圧を印加する）。上記した画素電極ＰＥ及び共通電極ＣＯＭＥは、絶縁膜を介して対向配置されている。画素電極ＰＥ、共通電極ＣＯＭＥ及び絶縁膜は、保持容量ＣＳを形成する。
【００２９】
ここでは副画素ＳＲについて説明したが、他の副画素ＳＧ、ＳＢ及びＳＷについても同様の構成である。
【００３０】
なお、走査線駆動部２１、データ信号線駆動部２２及び電源線駆動部２３は、表示パネル１１の周囲の領域（額縁）に配置され、上記したパネルドライバ１１３によって制御される。図示されていないが、パネルドライバ１１３は、バックライトユニット１２の動作も制御する。
【００３１】
図２においては１つの走査線駆動部２１のみが示されているが、表示パネル１１は、複数の走査線駆動部２１を備える構成であってもよい。例えば２つの走査線駆動部２１を備える場合、複数の走査線ＷＳＬのうちの一部が一方の走査線駆動部２１に接続され、残りが他方の走査線駆動部２１に接続されるようにすることができる。なお、２つの走査線駆動部２１を備える場合、当該走査線駆動部２１は、複数の画素ＰＸを挟んで対向するように配置される。
【００３２】
ここで、図３を参照して、本実施形態における画素配列について説明する。図３は、本実施形態における表示パネル１１（表示領域ＤＡ）に配置されている複数の画素ＰＸの配置（画素配列）を簡易的に示している。
【００３３】
本実施形態において、表示パネル１１に配置されている画素ＰＸの各々は、上記したように副画素ＳＲ、ＳＧ、ＳＢ及びＳＷを含む。なお、図３においてマトリクス状に配置されている各ブロックは、それぞれ各画素ＰＸに含まれる副画素を表している。また、「Ｒ」と表記されているブロックは副画素ＳＲ、「Ｇ」と表記されているブロックは副画素ＳＧ、「Ｂ」と表記されているブロックは副画素ＳＢ、「Ｗ」と表記されているブロックは副画素ＳＷを表している。以下の図面についても同様である。
【００３４】
本実施形態における画素配列の奇数行（例えば、１行目等）は、図３に示すように、行方向に並べられた副画素ＳＲ、ＳＧ、ＳＢ及びＳＷを含む複数の画素ＰＸが行方向に配置されて構成される。同様に、本実施形態における画素配列の偶数行（例えば、２行目等）は、行方向に並べられた副画素ＳＲ、ＳＧ、ＳＢ及びＳＷを含む複数の画素ＰＸが行方向に配置されて構成される。表示パネル１１には、このような奇数行を構成する複数の画素ＰＸ（以下、奇数行の画素ＰＸと表記）及び偶数行を構成する複数の画素ＰＸ（以下、偶数行の画素ＰＸと表記）が列方向に交互に配置されている。
【００３５】
なお、上記したように各画素ＰＸが副画素ＳＲ、ＳＧ、ＳＢ及びＳＷを含む構成によれば、例えば図４に示すような各画素ＰＸが副画素ＳＲ、ＳＧ及びＳＢを含む構成と比較して、光が透過する面積が大きくなることにより明度を向上させることができるため、例えばバックライトユニット１２の消費電力を抑制することが可能となる。
【００３６】
ここで、本実施形態において、奇数行の画素ＰＸ及び偶数行の画素ＰＸは、当該奇数行の画素ＰＸに含まれる副画素ＳＲと偶数行の画素ＰＸに含まれる副画素ＳＢとが列方向において隣接するように配置されている。換言すれば、本実施形態において、奇数行の画素ＰＸと偶数行の画素ＰＸとは、行方向に半画素分ずれた状態で配置されている。
【００３７】
この画素配列においては、奇数行の始端に副画素ＳＲが配置され、当該奇数行の終端に副画素ＳＷが配置される。また、偶数行の始端に副画素ＳＢが配置され、当該偶数行の終端に副画素ＳＧが配置される。
【００３８】
このような画素配列によれば、例えば奇数行の画素ＰＸに含まれる各副画素と偶数行の画素ＰＸに含まれる各副画素とがそれぞれ一致するように配列された場合と比較して、解像度を向上させることができるという利点がある。
【００３９】
次に、図５のフローチャートを参照して、表示パネル１１に画像を表示する際の表示装置１０の処理手順について説明する。ここでは、上記したパネルドライバ１１３によって実行される処理について主に説明する。
【００４０】
まず、パネルドライバ１１３は、例えば上記したホスト装置ＨＯＳから出力される画像信号を入力する（ステップＳ１）。なお、ステップＳ１において入力される画像信号は、例えば１フレームの画像を表示するための、画素毎に副画素ＳＲ、ＳＧ及びＳＢの輝度値を含む画像信号（以下、ＲＧＢ画像信号と表記）であるものとする。なお、本実施形態において、画像信号に含まれる輝度値とは画像信号の信号値の概念を含むものとする。
【００４１】
ここで、上記したように表示パネル１１に配置されている各画素ＰＸには、副画素ＳＲ、ＳＧ、ＳＢ及びＳＷが含まれている。この場合、ステップＳ１において入力されたＲＧＢ画像信号は表示パネル１１に対応していない（副画素ＳＲ、ＳＧ、ＳＢ及びＳＷの輝度値を含む画像信号ではない）ため、当該ＲＧＢ画像信号に基づいて表示パネル１１に画像を表示する際には、当該ＲＧＢ画像信号をＲＧＢＷ画像信号に変換する必要がある。なお、ＲＧＢＷ画像信号とは、画素ＰＸ毎に副画素ＳＲ、ＳＧ、ＳＢ及びＳＷの輝度値を含む画像信号である。
【００４２】
このため、パネルドライバ１１３は、ステップＳ１において入力されたＲＧＢ画像信号に対してレンダリング処理を実行する（ステップＳ２）。本実施形態におけるレンダリング処理には、上記したＲＧＢ画像信号（当該ＲＧＢ画像信号に含まれる副画素ＳＲ、ＳＧ及びＳＢの輝度値）をＲＧＢＷ画像信号（副画素ＳＲ、ＳＧ、ＳＢ及びＳＷの輝度値）に変換する処理等が含まれる。
【００４３】
ステップＳ２の処理が実行されると、パネルドライバ１１３は、当該ステップＳ２におけるレンダリング処理の結果として、ＲＧＢＷ画像信号を出力する（ステップＳ３）。これにより、パネルドライバ１１３は、ＲＧＢＷ画像信号に基づいて上記した走査線駆動部２１、データ信号線駆動部２２及び電源線駆動部２３等を駆動させ、表示パネル１１に画像を表示する。
【００４４】
以下、本実施形態におけるレンダリング処理（図５に示すステップＳ２の処理）について詳細に説明する。
【００４５】
まず、図６を参照して、レンダリング処理においてＲＧＢ画像信号（副画素ＳＲ、ＳＧ及びＳＢの輝度値）をＲＧＢＷ画像信号（副画素ＳＲ、ＳＧ、ＳＢ及びＳＷの輝度値）に変換する処理（以下、変換処理と表記）について説明する。
【００４６】
本実施形態においては、上記したように光が透過する面積が大きくなるように、２画素分のＲＧＢ画像信号（つまり、２画素分の副画素ＳＲ、ＳＧ、ＳＢの輝度値）が１画素分のＲＧＢＷ画像信号（つまり、１画素分の副画素ＳＲ、ＳＧ、ＳＢ及びＳＷの輝度値）に変換される。
【００４７】
ここでは、図６に示すように、１画素分のＲＧＢＷ画像信号に変換される２画素分のＲＧＢ画像信号のうちの一方の１画素分のＲＧＢ画像信号（以下、第１ＲＧＢ画像信号と表記）に含まれる副画素ＳＲ、ＳＧ及びＳＢの輝度値をそれぞれＲｘ、Ｇｘ及びＢｘとし、他方の１画素分のＲＧＢ画像信号（以下、第２ＲＧＢ画像信号と表記）に含まれる副画素ＳＲ、ＳＧ及びＳＢの輝度値をそれぞれＲｙ、Ｇｙ及びＢｙとする。
【００４８】
変換処理においては、第１ＲＧＢ画像信号及び第２ＲＧＢ画像信号からそれぞれ白色成分と白色成分以外の色成分とが抽出される（ステップＳ１１）。
【００４９】
第１ＲＧＢ画像信号の場合は、副画素ＳＲ、ＳＧ及びＳＢの輝度値をそれぞれ輝度値Ｒｘ、Ｇｘ及びＢｘうちの最小値とした白色成分Ｗｘが抽出され、当該輝度値Ｒｘ、Ｇｘ及びＢｘから当該白色成分Ｗｘを除いた副画素ＳＲ、ＳＧ及びＳＢの輝度値が色成分として抽出される。具体的には、例えば（Ｒｘ，Ｇｘ，Ｂｘ）が（２５５，１２８，２５５）である場合には、（Ｒ，Ｇ，Ｂ）＝（１２８，１２８，１２８）の白色成分Ｗｘと、（Ｒ，Ｇ，Ｂ）＝（１２７，０，１２７）の色成分とが抽出される。
【００５０】
第２ＲＧＢ画像信号の場合は、副画素ＳＲ、ＳＧ及びＳＢの輝度値を輝度値Ｒｙ、Ｇｙ及びＢｙのうちの最小値とした白色成分Ｗｙが抽出され、当該輝度値Ｒｙ、Ｇｙ及びＢｙから当該白色成分Ｗｅを除いた副画素ＳＲ、ＳＧ及びＳＢの輝度値が色成分として抽出される。
【００５１】
次に、ステップＳ１２の処理が実行される。ステップＳ１２においては、第１ＲＧＢ画像信号から抽出された色成分に含まれる副画素ＳＲの輝度値（以下、輝度値Ｒｘ´と表記）と第２ＲＧＢ画像信号から抽出された色成分に含まれる副画素ＳＲの輝度値（以下、輝度値Ｒｙ´と表記）とに基づいて、ＲＧＢＷ画像信号における副画素ＳＲの輝度値（以下、輝度値Ｒｐと表記）が算出される。この場合、輝度値Ｒｘ´に０．５を乗算した値と輝度値Ｒｙ´に０．５を乗算した値とを加算した値が輝度値Ｒｐとして算出される。
【００５２】
ここでは、ＲＧＢＷ画像信号における副画素ＳＲの輝度値Ｒｐが算出される場合について説明したが、ステップＳ１２においては、副画素ＳＧ及びＳＢの輝度値についても同様に算出される。
【００５３】
すなわち、ステップＳ１２においては、第１ＲＧＢ画像信号から抽出された色成分に含まれる副画素ＳＧの輝度値（以下、輝度値Ｇｘ´と表記）に０．５を乗算した値と第２ＲＧＢ画像信号から抽出された色成分に含まれる副画素ＳＧの輝度値（以下、輝度値Ｇｙ´と表記）に０．５を乗算した値とを加算することによって、ＲＧＢＷ画像信号における副画素ＳＧの輝度値（以下、輝度値Ｇｐと表記）が算出される。
【００５４】
同様に、ステップＳ１２においては、第１ＲＧＢ画像信号から抽出された色成分に含まれる副画素ＳＢの輝度値（以下、輝度値Ｂｘ´と表記）に０．５を乗算した値と第２ＲＧＢ画像信号から抽出された色成分に含まれる副画素ＳＢの輝度値（以下、輝度値Ｂｙ´と表記）に０．５を乗算した値とを加算することによって、ＲＧＢＷ画像信号における副画素ＳＢの輝度値（以下、輝度値Ｂｐと表記）が算出される。
【００５５】
上記したステップＳ１２においては、第１ＲＧＢ画像信号から抽出された色成分及び第２ＲＧＢ画像信号から抽出された色成分に基づいて、ＲＧＢＷ画像信号における副画素ＳＲ、ＳＧ及びＳＢの輝度値が算出される。
【００５６】
一方、第１ＲＧＢ画像信号から抽出された白色成分からも同様にＲＧＢＷ画像信号における副画素ＳＲ、ＳＧ及びＳＢの輝度値が算出される（ステップＳ１３）。この場合、第１ＲＧＢ画像信号から抽出された白色成分に含まれる副画素ＳＲ、ＳＧ及びＳＢの輝度値にそれぞれ０．５を乗算した値をＲＧＢＷ画像信号における副画素ＳＲ、ＳＧ及びＳＢの輝度値として算出する。
【００５７】
また、第２ＲＧＢ画像信号から抽出された白色成分については、当該白色成分に含まれる副画素ＳＲ、ＳＧ及びＳＢの輝度値に０．５を乗算した値をＲＧＢＷ画像信号における副画素ＳＷの輝度値として算出する（ステップＳ１４）。
【００５８】
最後に、ステップＳ１２においてＲＧＢＷ画像信号における副画素ＳＲ、ＳＧ及びＳＢの輝度値として算出された値と、ステップＳ１３においてＲＧＢＷ画像信号における副画素ＳＲ、ＳＧ及びＳＢとして算出された値と、ステップＳ１４においてＲＧＢＷ画像信号における副画素ＳＷの輝度値として算出された値とを合成（加算）することによって、副画素ＳＲ、ＳＧ、ＳＢ及びＳＷの輝度値を含むＲＧＢＷ画像信号が生成される。
【００５９】
本実施形態においては、上記した処理が２画素分のＲＧＢ画像信号毎に実行されることによって、１フレームの画像を表示するためのＲＧＢ画像信号をＲＧＢＷ画像信号に変換することができる。
【００６０】
なお、ＲＧＢ画像信号においては副画素ＳＲ、ＳＧ及びＳＢからそれぞれ光を出力することによって白色を表現するところ、例えば図７に示すように各副画素ＳＲ、ＳＧ及びＳＢから光を出力することによって十字の白色の線を表示するようなＲＧＢ画像信号が入力された場合、当該ＲＧＢ画像信号は、図８に示すように各副画素ＳＲ、ＳＧ、ＳＢ及びＳＷから光を出力するようなＲＧＢＷ画像信号に変換される。図７及び図８においては、ハッチングが付されたブロックが画像信号に基づいて光を出力する副画素の位置を表している。
【００６１】
ところで、本実施形態においては、２画素分のＲＧＢ画像信号を１画素分のＲＧＢＷ画像信号に変換するため、上記した図６に示すステップＳ１２において第１ＲＧＢ画像信号から抽出された色成分と第２ＲＧＢ画像信号から抽出された色成分とから算出された輝度値を適切な位置の副画素（ＲＧＢＷ画像信号における副画素）に割り当てる必要がある。
【００６２】
以下、第１ＲＧＢ画像信号から抽出された色成分と第２ＲＧＢ画像信号から抽出された色成分とから算出された輝度値が割り当てられる副画素について具体的に説明する。ここでは、副画素ＳＲについて主に説明するが、他の副画素ＳＧ及びＳＢについても同様である。
【００６３】
まず、図９を参照して、第１ＲＧＢ画像信号から抽出された色成分に含まれる副画素ＳＲの輝度値Ｒｘ´及び第２ＲＧＢ画像信号から抽出された色成分に含まれる副画素ＳＲの輝度値Ｒｙ´がそれぞれ０でない場合について説明する。この場合には、上記した図６のステップＳ１２において説明したように、輝度値Ｒｘ´に０．５を乗算した値と輝度値Ｒｙ´に０．５を乗算した値とを加算した値を輝度値Ｒｐ（ＲＧＢＷ画像信号における副画素ＳＲの輝度値）として算出する。なお、輝度値Ｒｘ´は０でないが、輝度値Ｒｙ´が０である場合には、輝度値Ｒｘ´に０．５を乗算した値が輝度値Ｒｐとなる。
【００６４】
次に、図１０を参照して、輝度値Ｒｘ´が０であり、輝度値Ｒｙ´が０でない場合について説明する。この場合、輝度値Ｒｘ´が０であるにもかかわらず、変換処理によって例えば輝度値Ｒｙ´に０．５を乗算した値を輝度値Ｒｐに加算した（つまり、当該値を輝度値がＲｐである副画素ＳＲに割り当てた）場合には、表示されるべき画像とは差異のある画像（形状）となる可能性がある。このため、輝度値Ｒｘ´が０であり、輝度値Ｒｙ´が０でない場合において、当該輝度値がＲｙ´である副画素ＳＲの次の副画素ＳＲの輝度値（以下、輝度値Ｒｚ´と表記）が０でない場合には、輝度値Ｒｙ´に０．５を乗算した値は、輝度値がＲｐである副画素ＳＲの次の副画素ＳＲの輝度値Ｒｐ´に加算される。すなわち、図１０に示す場合においては、輝度値Ｒｙ´に０．５を乗算した値（輝度値）は隣の副画素ＳＲに移動される。
【００６５】
次に、図１１を参照して、図１０と同様に輝度値Ｒｘ´が０であり、輝度値Ｒｙ´が０でないが、輝度値Ｒｚ´が０である場合について説明する。この場合、輝度値Ｒｚ´が０であるにもかかわらず、変換処理によって例えば輝度値Ｒｙ´に０．５を乗算した値を輝度値Ｒｐ´に加算した（つまり、当該値を輝度値がＲｐ´である副画素ＳＲに割り当てた）場合には、表示されるべき画像とは差異のある画像（形状）となる可能性がある。このため、輝度値Ｒｘ´が０であり、輝度値Ｒｙ´が０でないが、輝度値Ｒｚ´が０である場合には、輝度値Ｒｙ´に０．５を乗算した値は、画素配列における次の行の副画素ＳＲの輝度値Ｒｐ´´に加算される。すなわち、図１１に示す場合においては、輝度値Ｒｙ´に０．５を乗算した値（輝度値）は次の行の副画素ＳＲに移動される。
【００６６】
具体例としては、上記した図９〜図１１で説明した処理によれば、例えば図１２においてハッチングで示されるＲＧＢ画像信号から抽出された色成分に含まれる副画素ＳＲの輝度値は、図１３においてハッチングで示されるＲＧＢＷ画像信号における各副画素ＳＲの輝度値として加算される（つまり、当該各副画素ＳＲに割り当てられる）。
【００６７】
本実施形態においては、上記した図６に示すステップＳ１２において算出された輝度値が図９〜図１１で説明したようにＲＧＢＷ画像信号における副画素に割り当てられることによって、変換処理に伴う画像の変化を抑制することができる。
【００６８】
ここで、例えば表示領域ＤＡの外周に沿った白色の枠（白線）を含む画像を表示するためのＲＧＢ画像信号をＲＧＢＷ画像信号に変換する場合について説明する。
【００６９】
図１４は、上記した表示領域ＤＡの外周に沿った白色の枠を含む画像を表示するためのＲＧＢ画像信号と、変換処理によって当該ＲＧＢ画像信号から変換されたＲＧＢＷ画像信号との対応関係を表している。
【００７０】
なお、図１４においては、ハッチングが付されているブロックが光を出力する（つまり、輝度値が０でない）副画素を示し、当該ブロック内の文字（Ｒ、Ｇ、Ｂ及びＷ）が当該副画素が出力する光の色（つまり、副画素ＳＲ、ＳＧ、ＳＢ及びＳＷ）を示している。
【００７１】
図１４に示すように、画素配列の１行目の始端（左端）に対応する２画素分のＲＧＢ画像信号３１に対して変換処理が実行された場合、当該ＲＧＢ画像信号３１は、ＲＧＢＷ画像信号４１に変換される。同様に、画素配列の１行目の終端（右端）に対応する２画素分のＲＧＢ画像信号３２に対して変換処理が実行された場合、当該ＲＧＢ画像信号３２は、ＲＧＢＷ画像信号４２に変換される。ここでは、ＲＧＢ画像信号３１及び３２についてのみ説明したが、行方向においてＲＧＢ画像信号３１及び３２の間に配置されている他のＲＧＢ画像信号についても同様に変換処理が実行される。また、ここでは画素配列の１行目について説明したが、他の奇数行についても同様である。
【００７２】
ここで、本実施形態における画素配列によれば、奇数行の画素ＰＸ及び偶数行の画素ＰＸは行方向に半画素分ずれた状態で配置されている。
【００７３】
このような画素配列の場合、例えば画素配列の２行目の始端には、副画素ＳＲではなく、副画素ＳＢが配置されている。このような画素配列の２行目に対して上記した奇数行（例えば、１行目）と同様の処理が実行された場合には、当該２行目の始端には副画素ＳＲの輝度値が割り当てられることになり、本実施形態における画素配列に対応したＲＧＢＷ画像信号を得ることができない。なお、本実施形態においては出力がＲＧＢＷの並びであることにより、左側のＲＧＢ画像信号（第１ＲＧＢ画像信号）で白色成分を表現することができるため画質が良い。これに対して、例えばＢＷＲＧの並びで処理することも可能であるが、白色成分をＢ、Ｒ及びＧで表現する際に、ＢとＲの間にＷが割り込む（つまり、重心がずれる）ことになり好ましくない。
【００７４】
このため、画素配列の２行目においては、図１４に示すように、副画素ＳＲ、ＳＧ及びＳＢの輝度値として０を含む第１ＲＧＢ画像信号と、上記した白色の枠に相当する副画素ＳＲ、ＳＧ及びＳＢの輝度値を含む第２ＲＧＢ画像信号との２画素分のＲＧＢ画像信号３３に対して変換処理を実行することによって、当該ＲＧＢ画像信号３３をＲＧＢＷ画像信号４３に変換する。これによれば、ＲＧＢＷ画像信号４３に含まれる副画素ＳＢ及びＳＷの輝度値を、画素配列の２行目の始端に配置されている副画素ＳＢ及びＳＷの輝度値とすることができる。
【００７５】
以降は２画素分のＲＧＢ画像信号を１画素分のＲＧＢＷ画像信号に変換する処理が順次実行されるが、画素配列の２行目の終端においては、上記した画素配列により１画素分のＲＧＢ画像信号をＲＧＢＷ画像信号に変換する必要がある。
【００７６】
この場合、図１４に示すように、白色の枠に相当する副画素ＳＲ、ＳＧ及びＳＢの輝度値を含む第１ＲＧＢ画像信号（上記した２行目の終端に対応する１画素分のＲＧＢ画像信号）と、副画素ＳＲ、ＳＧ及びＳＢの輝度値として０を含む第２ＲＧＢ画像信号の２画素分のＲＧＢ画像信号３４に対して変換処理を実行することによって、当該ＲＧＢ画像信号３４をＲＧＢＷ画像信号４４に変換する。これによれば、ＲＧＢＷ画像信号４４に含まれる副画素ＳＲ及びＳＧの輝度値を、画素配列の２行目の終端に配置されている副画素ＳＲ及びＳＧの輝度値とすることができる。
【００７７】
ところで、図１４に示すＲＧＢ画像信号３３に含まれる第２ＲＧＢ画像信号の副画素ＳＲ、ＳＧ及びＳＢの輝度値に基づいて表現すべき白色は、ＲＧＢＷ画像信号４３に含まれる副画素ＳＷの輝度値に基づいて出力される光で表現することができる。
【００７８】
一方、図１４に示すＲＧＢ画像信号３４に含まれる第１ＲＧＢ画像信号の副画素ＳＲ、ＳＧ及びＳＢの輝度値に基づいて表現すべき白色は、ＲＧＢＷ画像信号４４に含まれる副画素ＳＲ、ＳＧ及びＳＢの輝度値に基づいて出力される光で表現されるべきである。
【００７９】
しかしながら、本実施形態における画素配列の場合、２行目の終端に配置されている副画素は副画素ＳＧであり、副画素ＳＢから出力される光を利用することはできない。
【００８０】
このため、画素配列の２行目を含む偶数行の終端部分においては、青色成分が欠けた黄色がかった色彩が視認されることになり、画質の低下を招く。
【００８１】
そこで、本実施形態においては、変換処理によって表示パネル１１内（つまり、複数の画素ＰＸ）で表現することができなくなるＲＧＢ画像信号に含まれる副画素ＳＢの輝度値に基づいて、ＲＧＢＷ画像信号における副画素ＳＢの輝度値を変更（調整）するものとする。
【００８２】
具体的には、図１５に示すように、ＲＧＢ画像信号３４から変換されたＲＧＢＷ画像信号４４に含まれる副画素ＳＢの輝度値（レベル）は、次の行（つまり、３行目）の終端に配置されている画素ＰＸに含まれる副画素ＳＢの輝度値に加算される。
【００８３】
本実施形態においては、このような処理によって、ＲＧＢＷ画像信号４４に含まれる副画素ＳＲ、ＳＧ及びＳＢの輝度値で白色が表現されるようにすることができる。
【００８４】
ここでは、画素配列の２行目について主に説明したが、他の偶数行についても同様である。なお、画素配列の偶数行のうちの最終行においては、次の行が存在しないため、このような処理は実行されなくてもよい。また、最終行で表現することができない副画素ＳＢの輝度値については、１行上の副画素ＳＢの輝度値に加算されるような構成とすることも可能である。
【００８５】
以下、図１６を参照して、本実施形態において実行されるレンダリング処理のアルゴリズムの具体例について説明する。
【００８６】
まず、画素配列の１行目に対応するＲＧＢ画像信号に対して変換処理（レンダリング）が実行される（ステップＳ２１）。この場合、パネルドライバ１１３は、画素配列の始端に対応するＲＧＢ画像信号（つまり、左側）から順に変換する。なお、画素配列の１行目においては、２画素分のＲＧＢ画像信号を１画素分のＲＧＢＷ画像信号に変換する処理が始端から終端まで同様に実行される。
【００８７】
次に、画素配列の２行目に対応するＲＧＢ画像信号に対して変換処理が実行される（ステップＳ２２）。この場合、パネルドライバ１１３は、画素配列の始端に対応するＲＧＢ画像信号から順に変換する。
【００８８】
ここで、上記した図１４において説明したように画素配列の２行目に対応するＲＧＢ画像信号に対して変換処理が実行された場合、図１６に示すように、画素配列の終端に対応する１画素分のＲＧＢ画像信号が残ることになる。この場合には、上記したように変換処理されずに残されている画素配列の２行目の終端に対応する１画素分のＲＧＢ画像信号を第１ＲＧＢ画像信号、副画素ＳＲ、ＳＧ及びＳＢの輝度値がそれぞれ０であるＲＧＢ画像信号を第２ＲＧＢ画像信号とし、当該第１ＲＧＢ画像信号及び当該第２ＲＧＢ画像信号の２画素分のＲＧＢ画像信号に対して変換処理が実行される。
【００８９】
ここで、変換処理によって第１ＲＧＢ画像信号及び第２ＲＧＢ画像信号から変換されたＲＧＢＷ画像信号には副画素ＳＲ、ＳＧ、ＳＢ及びＳＷの輝度値が含まれるが、当該副画素ＳＲ及びＳＧの輝度値は画素配列の終端に位置するＲＧＢＷ画像信号に含まれる副画素ＳＲ及びＳＧの輝度値として用いられる。
【００９０】
一方、このＲＧＢＷ画像信号に含まれる副画素ＳＢの輝度値（つまり、表示パネル１１に表示されない青色成分）は、例えばパネルドライバ１１３内のバッファに格納（保存）される。図６に示す変換処理によれば、このバッファに格納される副画素ＳＢの輝度値は、画素配列の２行目の終端に対応する１画素分のＲＧＢ画像信号に含まれる副画素ＳＢの輝度値に相当する。
【００９１】
なお、このＲＧＢＷ画像信号に含まれる副画素ＳＷの輝度値は０であるため、破棄されてよい。
【００９２】
次に、画素配列の３行目に対応するＲＧＢ画像信号に対して変換処理が実行される（ステップＳ２３）。この場合、パネルドライバ１１３は、画素配列の始端に対応するＲＧＢ画像信号から順に変換する。
【００９３】
画素配列の３行目の終端に対応するＲＧＢ画像信号まで変換処理が終了した場合、パネルドライバ１１３は、バッファに格納されている輝度値（つまり、前の行の青色成分）を、画素配列の３行目の終端に配置されている画素ＰＸに含まれる副画素ＳＢの輝度値に加算する。この場合、バッファに格納されている輝度値はクリアされる。
【００９４】
なお、バッファに格納されている輝度値を副画素ＳＢの輝度値に加算した結果、当該副画素ＳＢの輝度値が最大値を超える場合、当該副画素ＳＢの輝度値は最大値とするものとする。この場合、最大値を超えた分の輝度値については、更に他の副画素ＳＢの輝度値に加算されるようにしてもよい。
【００９５】
ここでは、画素配列の１行目〜３行目に関する処理について説明したが、４行目以降の偶数行についてはステップＳ２２と同様の処理が実行され、５行目以降の奇数行についてはステップＳ２３と同様の処理が実行される。画素配列の最終行まで処理が実行されると、レンダリング処理は終了される。
【００９６】
このようなレンダリング処理においては、ＲＧＢ画像信号をＲＧＢＷ画像信号に変換する変換処理によって表示パネル１１に表示されなくなる青色成分（副画素ＳＢの画素値）を次の行の副画素ＳＢで表現するようなＲＧＢＷ画像信号を得ることができる。なお、レンダリング処理が終了されると、当該レンダリング処理によって得られたＲＧＢＷ画像信号に基づいて表示パネル１１に画像が表示される。
【００９７】
上記したように本実施形態において、画素配列の奇数行（第１行）を構成する複数の画素ＰＸ（第１画素）と偶数行（第２行）を構成する複数の画素ＰＸ（第２画素）は、当該奇数行の画素ＰＸに含まれる副画素ＳＲ（第１副画素）と当該偶数行の画素ＰＸに含まれる副画素ＳＢ（第３副画素）とが列方向において互いに隣接するように配置されている。また、本実施形態においては、入力されたＲＧＢ画像信号（第１画像信号）をＲＧＢＷ画像信号（第２画像信号）に変換する変換処理を実行する。更に、本実施形態においては、変換処理が実行された場合に上記した画素配列に起因して表示パネル１１内で表現することができなくなるＲＧＢ画像信号に含まれる副画素ＳＢの輝度値に基づいて、ＲＧＢＷ画像信号に含まれる副画素ＳＢの輝度値を変更する。
【００９８】
本実施形態においては、このような構成により、変換処理を行うことによって表示パネル１１（複数の画素ＰＸ）内で表現することができなくなる副画素ＳＢの輝度値を当該表示パネル１１内で表現することができるため、当該変換処理に伴う画質の低下を抑制することが可能となる。
【００９９】
なお、本実施形態における画素配列において、奇数行の始端には副画素ＳＲが配置されており、当該奇数行の終端には副画素ＳＷが配置されている。また、偶数行の始端には第３副画素が配置されており、当該偶数行の終端には副画素ＳＧが配置されている。ここで、本実施形態において変換処理が実行された場合に、画素配列に起因して表示パネル１１内で表現することができなくなる副画素ＳＢの輝度値には、偶数行の終端に配置されている副画素ＳＧの次の（隣接する）副画素ＳＢで表現することになる輝度値が含まれる。本実施形態において、このような輝度値は、次の奇数行の終端に配置されている画素ＰＸに含まれる副画素ＳＢの輝度値に加算される。これによれば、変換処理を行うことによって表示パネル１１（複数の画素ＰＸ）内で表現することができなくなる副画素ＳＢの輝度値を適切な位置の画素で表現することが可能となる。
【０１００】
ここで、本実施形態の各画素ＰＸにおいては、赤色の波長帯域に対応する光を出力する副画素ＳＲ、緑色の波長帯域に対応する光を出力する副画素ＳＧ、青色の波長帯域に対応する光を出力する副画素ＳＢ及び白色の波長帯域に対応する光を出力する副画素ＳＷが左側から画素配列の行方向に並べられて配置されているものとして説明したが、このような副画素の並びは例えば逆であっても構わない。つまり、画素ＰＸにおいて、副画素ＳＲ、ＳＧ、ＳＢ及びＳＷは右側から画素配列の行方向に並べられて配置されていてもよい。
【０１０１】
以下、副画素ＳＲ、ＳＧ、ＳＢ及びＳＷが右側から画素配列の行方向に並べられている場合について説明する。
【０１０２】
図１７は、上記したように例えば表示領域ＤＡの外周に沿った白色の枠を含む画像を表示するためのＲＧＢ画像信号と、当該ＲＧＢ画像信号に対してレンダリング処理が実行されることによって得られるＲＧＢＷ画像信号との対応関係を表している。
【０１０３】
なお、図１７においては、上記した図１４と同様に、ハッチングが付されているブロックが光を出力する（つまり、輝度値が０でない）副画素を示し、当該ブロック内の文字（Ｒ、Ｇ、Ｂ及びＷ）が当該副画素が出力する光の色（つまり、副画素ＳＲ、ＳＧ、ＳＢ及びＳＷ）を示している。
【０１０４】
ここで、画素配列（画素ＰＸ）において副画素ＳＲ、ＳＧ、ＳＢ及びＳＷが右側から行方向に並べられている場合、ＲＧＢ画像信号に対して変換処理が実行された後のＲＧＢＷ画像信号に含まれる輝度値が０でない副画素ＳＲ、ＳＧ、ＳＢ及びＳＷの配置は、画素配列の列方向を軸として図１４に示す配置を反転させたものとなる。
【０１０５】
このため、上記したように副画素ＳＲ、ＳＧ、ＳＢ及びＳＷが右側から行方向に並べられている場合には、画素配列の各行の右端を始端、左端を終端として、上記した図１６に示すレンダリング処理を実行することによって、副画素ＳＲ、ＳＧ、ＳＢ及びＳＷが行方向の左側から並べられている場合と同様に画質の低下を抑制することができる。
【０１０６】
なお、本実施形態においては表示パネル１１が図３に示す画素配列を有するものとして説明したが、当該画素配列は一例であり、例えば本実施形態において説明した画素配列の奇数行と偶数行とは入れ替えられてもよい。また、本実施形態において説明した画素配列の行方向または列方向の向きは異なるものであってもよい。更に、上記したようにＲＧＢ画像信号をＲＧＢＷ画像信号に変換する変換処理が実行された場合に、画素配列に起因して表示パネル１１内で表現することができなくなる副画素の輝度値を表示パネル１１内で表現することが可能であるものであれば、他の画素配列を有していてもよい。
【０１０７】
また、本実施形態においては、副画素ＳＲ、ＳＧ、ＳＢ及びＳＷを含む複数の画素ＰＸが配置された表示パネル１１に画像を表示することにより、副画素ＳＲ、ＳＧ及びＳＢを含む複数の画素が配置された表示パネルに画像を表示する場合と比較して明度を向上させることができるが、バックライトユニット１２の消費電力を更に低減させるために、当該表示パネル１１に表示される画像（コンテンツ）等に応じて当該バックライトユニット１２の点灯強度を動的に変化させるような構成としても構わない。
【０１０８】
（第２の実施形態）  
次に、第２の実施形態について説明する。本実施形態に係る表示装置の構成等については、前述した第１の実施形態と同様であるため、適宜、図１及び図２等を用いて説明する。
【０１０９】
また、本実施形態に係る表示装置１０は、前述したＲＧＢ画像信号を入力して、当該ＲＧＢ画像信号に基づいて副画素ＳＲ、ＳＧ、ＳＢ及びＳＷを含む複数の画素ＰＸが配置された表示パネル１１に画像を表示する点では、前述した第１実施形態と同様である。
【０１１０】
すなわち、本実施形態に係る表示装置１０は、前述した第１の実施形態に係る表示装置と同様に、ＲＧＢ画像信号をＲＧＢＷ画像信号に変換して画像を表示する処理を実行する。
【０１１１】
ここで、前述した第１の実施形態においては表示領域ＤＡの外周に沿った白色の枠を含む画像を表示するためのＲＧＢ画像信号をＲＧＢＷ画像信号に変換する場合について説明したが、本実施形態においては、表示領域ＤＡの外周に沿った青色の枠（青線）を含む画像を表示するためのＲＧＢ画像信号をＲＧＢＷ画像信号に変換する場合について説明する。
【０１１２】
図１８は、上記した表示領域ＤＡの外周に沿った青色の枠を含む画像を表示するためのＲＧＢ画像信号と、変換処理によって当該ＲＧＢ画像信号から変換されたＲＧＢＷ画像信号との対応関係を表している。
【０１１３】
なお、図１８においては、「Ｂ」と表記されてハッチングが付されているブロックが青色の光を出力する（つまり、輝度値が０でない）副画素ＳＢを示している。
【０１１４】
図１８に示すように、２画素分のＲＧＢ画像信号５１に対して変換処理が実行された場合、当該ＲＧＢ画像信号５１は、ＲＧＢＷ画像信号６１に変換される。同様に、２画素分のＲＧＢ画像信号５２に対して変換処理が実行された場合、当該ＲＧＢ画像信号５２は、ＲＧＢＷ画像信号６２に変換される。なお、ＲＧＢ画像信号５１及び５２において、副画素ＳＲの輝度値及び副画素ＳＧの輝度値はともに０である。
【０１１５】
ここでは、ＲＧＢ画像信号５１及び５２についてのみ説明したが、行方向においてＲＧＢ画像信号５１及び５２の間に配置されている他のＲＧＢ画像信号についても同様に変換処理が実行される。また、ここでは、画素配列の１行目について説明したが、他の奇数行
についても同様である。
【０１１６】
ここで、上記したように本実施形態における画素配列によれば、奇数行の画素ＰＸ及び偶数行の画素ＰＸは半画素分ずれた状態で配置されている。
【０１１７】
このような画素配列の場合、例えば画素配列の２行目の始端（左端）には、副画素ＳＲではなく、副画素ＳＢが配置されている。このような画素配列の２行目に対して上記した奇数行（例えば、１行目）と同様の処理が実行された場合には、当該２行目の始端に副画素ＳＲの輝度値が割り当てられることになり、本実施形態における画素配列に対応したＲＧＢＷ画像信号を得ることができない。
【０１１８】
このため、画素配列の２行目においては、図１８に示すように、副画素ＳＲ、ＳＧ及びＳＢの輝度値として０を含む第１ＲＧＢ画像信号と、上記した青色の枠に相当する副画素ＳＢの輝度値を含む第２ＲＧＢ画像信号の２画素分のＲＧＢ画像信号５３に対して変換処理を実行することによって、当該ＲＧＢ画像信号５３をＲＧＢＷ画像信号６３に変換する。これによれば、ＲＧＢ画像信号６３に含まれる副画素Ｂ及びＳＷの輝度値を、画素配列の２行目の始端に配置されている副画素ＳＢ及びＳＷの輝度値とすることができる。
【０１１９】
ここで、詳細については省略するが、上記したＲＧＢ画像信号５３に対する変換処理においては上述した図１１で説明した処理が実行される。このため、ＲＧＢ画像信号５３の第２ＲＧＢ画像信号に含まれる副画素ＳＢの輝度値は、画素配列の２行目の始端に配置されている副画素ＳＢに割り当てられず、次の行である３行目の始端に配置されている画素ＰＸに含まれる副画素ＳＢの輝度値に加算される。
【０１２０】
この場合、画素配列の２行目において青色を表示（出力）すべきであるところ、当該青色が表示されなくなるため、ＲＧＢ画像信号に基づいて表示すべき画像と差異のある画像として視認される場合があり、画質の低下を招く。
【０１２１】
そこで、変換処理によって３行目の始端に配置されている画素ＰＸに含まれる副画素ＳＢで表現することになる２行目の始端に対応するＲＧＢ画像信号５３（第２ＲＧＢ画像信号）に含まれる副画素ＳＢの輝度値については、当該３行目の副画素ＳＢではなく、２行目の始端に配置されている画素ＰＸに含まれる副画素ＳＢで表現するものとする。
【０１２２】
これによれば、図１９に示すように、２行目の始端に配置されている画素ＰＸに含まれる副画素ＳＢにおいて、画素配列の２行目に対応するＲＧＢ画像信号５３の第２ＲＧＢ画像信号に含まれる副画素ＳＢの輝度値に基づく光を出力することが可能となる。
【０１２３】
ここでは、画素配列の２行目について主に説明したが、他の偶数行についても同様である。
【０１２４】
なお、２行目の終端に配置されている画素ＰＸにおいては、前述した第１の実施形態において説明したように、副画素ＳＢから出力される光を利用することができない状態となる。すなわち、図１８に示すＲＧＢ画像信号５４からＲＧＢＷ画像信号６４への変換においては、前述した第１の実施形態と同様の処理が実行されるものとする。
【０１２５】
以下、図２０を参照して、本実施形態において実行されるレンダリング処理のアルゴリズムの具体例について説明する。
【０１２６】
まず、画素配列の１行目に対応するＲＧＢ画像信号に対して変換処理（レンダリング）が実行される（ステップＳ３１）。この場合、パネルドライバ１１３は、画素配列の始端に対応するＲＧＢ画像信号（つまり、左側）から順に変換する。なお、画素配列の１行目においては、２画素分のＲＧＢ画像信号を１画素分のＲＧＢＷ画像信号に変換する処理が始端から終端まで同様に実行される。
【０１２７】
次に、画素配列の２行目に対応するＲＧＢ画像信号に対して変換処理が実行される（ステップＳ３２）。この場合、パネルドライバ１１３は、画素配列の始端に対応するＲＧＢ画像信号から順に変換する。
【０１２８】
ここで、図２０に示すように、画素配列の２行目の始端においては、１画素分のＲＧＢ画像信号からＲＧＢＷ画像信号に含まれる副画素ＳＢ及びＳＷの輝度値を得る必要がある。この場合、画素配列の２行目の始端に対応する１画素分のＲＧＢ画像信号に含まれる副画素ＳＢの輝度値を、ＲＧＢＷ画像信号に含まれる副画素ＳＢの輝度値とする。一方、ＲＧＢＷ画像信号に含まれる副画素ＳＷの輝度値については、副画素ＳＲ、ＳＧ及びＳＢの輝度値がそれぞれ０であるＲＧＢ画像信号を第１ＲＧＢ画像信号、画素配列の２行目の始端に対応する１画素分のＲＧＢ画像信号を第２画像信号とし、当該第１ＲＧＢ画像信号及び当該第２ＲＧＢ画像信号の２画素分のＲＧＢ画像信号に対して上記した変換処理が実行されることによって得ることができる。なお、上記したように青色の枠を含む画像を表示する場合、ここで得られる副画素ＳＷの輝度値は０である。
【０１２９】
画素配列の２行目の始端に対応する１画素分のＲＧＢ画像信号に対する変換処理が終了されると、行方向に配列されている以降のＲＧＢ画像信号に対して順次変換処理が実行される。
【０１３０】
ここでは、画素配列の１行目及び２行目に関する処理について説明したが、３行目以降の奇数行についてはステップＳ３１と同様の処理が実行され、４行目以降の偶数行についてはステップＳ３２と同様の処理が実行される。画素配列の最終行まで処理が実行されると、レンダリング処理は終了される。
【０１３１】
このようにレンダリング処理においては、ＲＧＢ画像信号をＲＧＢＷ画像信号に変換する変換処理によって表示パネル１１の偶数行に表示されなくなる青色成分（当該偶数行の始端に対応するＲＧＢ画像信号に含まれる副画素ＳＢの画素値）を当該偶数行の副画素ＳＢで表現するようなＲＧＢＷ画像信号を得ることができる。なお、レンダリング処理が終了されると、当該レンダリング処理によって得られたＲＧＢＷ画像信号に基づいて表示パネル１１に画像が表示される。
【０１３２】
なお、図２０においては省略されているが、画素配列の各行の終端においては、前述した第１の実施形態において説明した処理と同様の処理が実行される。
【０１３３】
上記したように本実施形態においては、変換処理によって奇数行（例えば、３行目）の始端に配置されている画素ＰＸに含まれる副画素ＳＢ（第３副画素）で表現することになる偶数行（例えば、２行目）の始端に対応するＲＧＢ画像信号（第１画像信号）に含まれる副画素ＳＢの輝度値を、当該偶数行の始端に配置されている副画素ＳＢの輝度値に加算する。
【０１３４】
具体的には、例えば表示領域ＤＡの外周に沿った青色の枠（青線）を含む画像を表示する場合、偶数行の始端に対応するＲＧＢ画像信号に含まれる副画素ＳＢの輝度値は、変換処理（図１１に示す処理）が実行されることによって、当該偶数行の下の奇数行の始端に配置されている画素ＰＸに含まれる副画素ＳＢに割り当てられることになる。
【０１３５】
これに対して、本実施形態においては、上記した構成により、偶数行の始端に対応するＲＧＢ画像信号に含まれる副画素ＳＢの輝度値は、当該偶数行の始端に配置されている画素ＰＸに含まれる副画素ＳＢで表現することができる。
【０１３６】
これにより、本実施形態においては、入力されたＲＧＢ画像信号で表示されるべき画像と差異の少ない画像を表示することができ、画質の低下を抑制することが可能となる。
【０１３７】
ここで、本実施形態の各画素ＰＸにおいては、副画素ＳＲ、ＳＧ、ＳＢ及びＳＷが左側から画素配列の行方向に並べられて配置されているものとして説明したが、このような副画素の並びは例えば逆であっても構わない。つまり、画素ＰＸにおいて、副画素ＳＲ、ＳＧ、ＳＢ及びＳＷは右側から画素配列の行方向に並べられて配置されていてもよい。
【０１３８】
以下、副画素ＳＲ、ＳＧ、ＳＢ及びＳＷが右側から画素配列の行方向に並べられている場合について説明する。
【０１３９】
図２１は、上記したように例えば表示領域ＤＡの外周に沿った青色の枠を含む画像を表示するためのＲＧＢ画像信号と、当該ＲＧＢ画像信号に対してレンダリング処理が実行されることによって得られるＲＧＢＷ画像信号との対応関係を表している。
【０１４０】
なお、図２１においては、上記した図２０と同様に、「Ｂ」と表記されてハッチングが付されているブロックが青色の光を出力する（つまり、輝度値が０でない）副画素ＳＢを示している。
【０１４１】
ここで、画素配列（画素ＰＸ）において副画素ＳＲ、ＳＧ、ＳＢ及びＳＷが右側から行方向に並べられている場合、ＲＧＢ画像信号に対して変換処理が実行された後のＲＧＢＷ画像信号に含まれる輝度値が０でない副画素ＳＢの配置は、画素配列の列方向を軸として図１８に示す配置を反転させたものとなる。
【０１４２】
このため、上記したように副画素ＳＲ、ＳＧ、ＳＢ及びＳＷが右側から行方向に並べられている場合には、画素配列の各行の右端を始端、左端を終端として、上記した図２０に示すレンダリング処理を実行することによって、副画素ＳＲ、ＳＧ、ＳＢ及びＳＷが左側から行方向に並べられている場合と同様に画質の低下を抑制することができる。
【０１４３】
なお、本実施形態において説明した画素配列は一例であり、他の画素配列を有していてもよいことは前述した第１の実施形態と同様である。
【０１４４】
（第３の実施形態）  
次に、第３の実施形態について説明する。本実施形態に係る表示装置の構成等については、前述した第１の実施形態と同様であるため、適宜、図１及び図２等を用いて説明する。
【０１４５】
前述した第１及び第２の実施形態においては副画素ＳＲ、ＳＧ、ＳＢ及びＳＷを含む複数の画素ＰＸが表示パネル１１に配置されているものとして説明したが、本実施形態は、副画素ＳＲ、ＳＧ１、ＳＢ及びＳＧ２を含む複数の画素ＰＸが表示パネル１１に配置されている点で当該第１及び第２の実施形態とは異なる。
【０１４６】
ここで、図２２を参照して、本実施形態における画素配列について説明する。図２２は、本実施形態における表示パネル１１（表示領域ＤＡ）に配置されている複数の画素ＰＸの配列（画素配列）を簡易的に示している。
【０１４７】
本実施形態において、表示パネル１１に配置されている画素ＰＸの各々は、上記したように副画素ＳＲ、ＳＧ１、ＳＢ及びＳＧ２を含む。なお、図２２において、マトリクス状に配置されている各ブロックは、それぞれ各画素ＰＸに含まれる副画素を表している。また、「Ｒ」と表記されているブロックは副画素ＳＲ、「Ｇ１」と表記されているブロックは副画素ＳＧ１、「Ｂ」と表記されているブロックは副画素ＳＢ、「Ｇ２」と表記されているブロックは副画素ＳＧ２を表している。
【０１４８】
なお、副画素ＳＧ１及びＳＧ２は、緑色の波長帯域に対応する光を出力する副画素である。副画素ＳＲ及びＳＢについては、前述した第１の実施形態において説明した通りである。
【０１４９】
このように各画素ＰＸが副画素ＳＲ、ＳＧ１、ＳＢ及びＳＧ２を含む構成の場合、例えば当該副画素ＳＲ、ＳＧ１、ＳＢ及びＳＧ２の各々から光が出力されることによって白色を表現することができる。また、１つの画素ＰＸに緑色の波長領域に対応する２つの副画素ＳＧ１及びＳＧ２が含まれるため、赤色の波長領域に対応する副画素ＳＲ及び青色の波長領域に対応する副画素ＳＢについては、それぞれ２画素分明るい画素設計とする。
【０１５０】
本実施形態における画素配列の奇数行（例えば、１行目等）は、図２２に示すように行方向に並べられた副画素ＳＲ、ＳＧ１、ＳＢ及びＳＧ２を含む複数の画素ＰＸが行方向に配置されて構成される。同様に、本実施形態における画素配列の偶数行（例えば、２行目等）は、行方向に並べられた副画素ＳＲ、ＳＧ１、ＳＢ及びＳＧ２を含む複数の画素ＰＸが行方向に配置されて構成される。
【０１５１】
このように各画素ＰＸが副画素ＳＲ、ＳＧ１、ＳＢ及びＳＧ２を含む構成によれば、前述した図４に示すような各画素ＰＸが副画素ＳＲ、ＳＧ及びＳＢを含む構成と比較して、明度を向上させることができるとともに、当該画素ＰＸにおいて表現可能な色の範囲（色の表現範囲）を広げることが可能となる。
【０１５２】
ここで、本実施形態において、奇数行の画素ＰＸ及び偶数行の画素ＰＸは、当該奇数行の画素ＰＸに含まれる副画素ＳＲと偶数行の画素ＰＸに含まれる副画素ＳＢとが列方向において隣接するように配置されている。換言すれば、本実施形態において、奇数行の画素ＰＸと偶数行の画素ＰＸとは、行方向に半画素分ずれた状態で配置されている。
【０１５３】
この画素配列においては、奇数行の始端に副画素ＳＲが配置され、当該奇数行の終端に副画素ＳＧ２が配置される。また、偶数行の始端に副画素ＳＢが配置され、当該偶数行の終端に副画素ＳＧ１が配置される。
【０１５４】
次に、表示パネル１１に画像を表示する際の表示装置１０の処理手順について説明する。ここでは、パネルドライバ１１３によって実行される処理について、前述した図５を用いて説明する。
【０１５５】
まず、パネルドライバ１１３は、例えばホスト装置ＨＯＳから出力される画像信号を入力する（ステップＳ１）。なお、ステップＳ１において入力される画像信号は、前述した第１の実施形態と同様に、例えば１フレームの画像を表示するための、画素毎に副画素ＳＲ、ＳＧ及びＳＢの輝度値を含むＲＧＢ画像信号であるものとする。
【０１５６】
ここで、上記したように表示パネル１１に配置されている各画素ＰＸには、副画素ＳＲ、ＳＧ１、ＳＢ及びＳＧ２が含まれている。この場合、ステップＳ１において入力されたＲＧＢ画像信号は表示パネル１１に対応していない（副画素ＳＲ、ＳＧ１、ＳＢ及びＳＧ２の輝度値を含む画像信号ではない）ため、当該ＲＧＢ画像信号に基づいて表示パネル１１に画像を表示する際には、当該ＲＧＢ画像信号をＲＧＢＧ画像信号に変換する必要がある。なお、ＲＧＢＧ画像信号とは、画素ＰＸ毎に副画素ＳＲ、ＳＧ１、ＳＢ及びＳＧ２の輝度値を含む画像信号である。
【０１５７】
このため、パネルドライバ１１３は、ステップＳ１において入力されたＲＧＢ画像信号に対してレンダリング処理を実行する（ステップＳ２）。なお、本実施形態におけるレンダリング処理の詳細については後述する。
【０１５８】
ステップＳ２の処理が実行されると、パネルドライバ１１３は、当該ステップＳ２におけるレンダリング処理の結果として、ＲＧＢＧ画像信号を出力する（ステップＳ３）。これにより、パネルドライバ１１３は、ＲＧＢＧ画像信号に基づいて走査線駆動部２１、データ信号線駆動部２２及び電源線駆動部２３等を駆動させ、表示パネル１１に画像を表示する。
【０１５９】
以下、本実施形態におけるレンダリング処理について詳細に説明する。まず、図２３を参照して、レンダリング処理においてＲＧＢ画像信号（副画素ＳＲ、ＳＧ及びＳＢの輝度値）をＲＧＢＧ画像信号（副画素ＳＲ、ＳＧ１、ＳＢ及びＳＧ２の輝度値）に変換する変換処理について説明する。
【０１６０】
本実施形態においては、２画素分のＲＧＢ画像信号（つまり、２画素分の副画素ＳＲ、ＳＧ及びＳＢの輝度値）が１画素分のＲＧＢＧ画像信号（つまり、１画素分の副画素ＳＲ、ＳＧ１、ＳＢ及びＳＧ２の輝度値）に変換される。
【０１６１】
ここでは、図２３に示すように、１画素分のＲＧＢＧ画像信号に変換される２画素分のＲＧＢ画像信号のうちの一方の１画素分のＲＧＢ画像信号（第１ＲＧＢ画像信号）に含まれる副画素ＳＲ、ＳＧ及びＳＢの輝度値をそれぞれＲｘ、Ｇｘ及びＢｘとし、他方の１画素分のＲＧＢ画像信号（第２ＲＧＢ画像信号）に含まれる副画素ＳＲ、ＳＧ及びＳＢの輝度値をそれぞれＲｙ、Ｇｙ及びＢｙとする。
【０１６２】
変換処理においては、前述した図６に示すステップＳ１と同様に、第１ＲＧＢ画像信号及び第２ＲＧＢ画像信号からそれぞれ白色成分と白色成分以外の色成分とが抽出される（ステップＳ４１）。
【０１６３】
次に、ステップＳ４２の処理が実行される。ステップＳ４２においては、第１ＲＧＢ画像信号から抽出された色成分に含まれる副画素ＳＲの輝度値Ｒｘ´と第２ＲＧＢ画像信号から抽出された色成分に含まれる副画素ＳＲの輝度値Ｒｙ´とに基づいて、ＲＧＢＧ画像信号における副画素ＳＲの輝度値Ｒｐが算出される。この場合、輝度値Ｒｘ´に０．５を乗算した値と輝度値Ｒｙ´に０．５を乗算した値とを加算した値が輝度値Ｒｐとして算出される。
【０１６４】
また、ステップＳ４２においては、第１ＲＧＢ画像信号から抽出された色成分に含まれる副画素ＳＧの輝度値Ｇｘ´に１．０を乗算した値を、ＲＧＢＧ画像信号における副画素ＳＧ１の輝度値Ｇ１ｐとして算出する。
【０１６５】
また、ステップＳ４２においては、第１ＲＧＢ画像信号から抽出された色成分に含まれる副画素ＳＢの輝度値Ｂｘ´と第２ＲＧＢ画像信号から抽出された色成分に含まれる副画素Ｂｙ´とに基づいて、ＲＧＢＧ画像信号における副画素ＳＢの輝度値Ｂｐを算出する。この場合、輝度値Ｂｘ´に０．５を乗算した値と輝度値Ｂｙ´に０．５を乗算した値とを加算した値が輝度値Ｂｐとして算出される。
【０１６６】
更に、ステップＳ４２においては、第２ＲＧＢ画像信号から抽出された色成分に含まれる副画素ＳＧの輝度値Ｇｙ´に１．０を乗算した値を、ＲＧＢＧ画像信号における副画素ＳＧ２の輝度値Ｇ２ｐとして算出する。
【０１６７】
上記したステップＳ４２においては、第１ＲＧＢ画像信号から抽出された色成分及び第２ＲＧＢ画像信号から抽出された色成分に基づいて、ＲＧＢＧ画像信号における副画素ＳＲ、ＳＧ１、ＳＢ及びＳＧ２の輝度値が算出される。
【０１６８】
一方、第１ＲＧＢ画像信号から抽出された白色成分からはＲＧＢＧ画像信号における副画素ＳＲ、ＳＧ１及びＳＢの輝度値が算出される（ステップＳ４３）。この場合、第１ＲＧＢ画像信号から抽出された白色成分に含まれる副画素ＳＲの輝度値に０．５を乗算した値、副画素ＳＧの輝度値に１．０を乗算した値及び副画素ＳＢの輝度値に０．５を乗算した値がそれぞれ副画素ＳＲ、ＳＧ１及びＳＢの輝度値として算出される。
【０１６９】
また、第２ＲＧＢ画像信号から抽出された白色成分からはＲＧＢＧ画像信号における副画素ＳＢ、ＳＧ２及びＳＲの輝度値が算出される（ステップＳ４４）。この場合、第２ＲＧＢ画像信号から抽出された白色成分に含まれる副画素ＳＢの輝度値に０．５を乗算した値、副画素ＳＧの輝度値に１．０を乗算した値及び副画素ＳＲの輝度値に０．５を乗算した値がそれぞれＲＧＢＧ画像信号における副画素ＳＢ、ＳＧ２及びＳＲの輝度値として算出される。
【０１７０】
最後に、図２３に示すように、ステップＳ４２においてＲＧＢＧ画像信号における副画素ＳＲ、ＳＧ１、ＳＢ及びＳＧ２として算出された値と、ステップＳ４３において副画素ＳＲ、ＳＧ１及びＳＢの輝度値として算出された値と、ステップＳ４４において副画素ＳＢ、ＳＧ２及びＳＲとして算出された値とを合成（加算）することによって、副画素ＳＲ、ＳＧ１、ＳＢ及びＳＧ２の輝度値を含むＲＧＢＧ画像信号が生成される。
【０１７１】
なお、上記したステップＳ４４において副画素ＳＲの輝度値として算出された値は、図２３に示すステップＳ４１〜Ｓ４５の処理によって生成されるＲＧＢＧ画像信号の次のＲＧＢＧ画像信号に含まれる副画素ＳＲの輝度値に加算され、当該副画素ＳＲで表現される。
【０１７２】
本実施形態においては、上記した処理が２画素分のＲＧＢ画像信号毎に実行されることによって、１フレームの画像を表示するためのＲＧＢ画像信号をＲＧＢＧ画像信号に変換することができる。
【０１７３】
なお、ＲＧＢ画像信号においては副画素ＳＲ、ＳＧ及びＳＢからそれぞれ光を出力することによって白色を表現するところ、例えば図２４に示すように各副画素ＳＲ、ＳＧ及びＳＢから光を出力することによって十字の白色の線を表示するようなＲＧＢ画像信号が入力された場合、当該ＲＧＢ画像信号は、図２５に示すように各副画素ＳＲ、ＳＧ１、ＳＢ及びＳＧ２から光を出力するようなＲＧＢＧ画像信号に変換される。図２４及び図２５においては、ハッチングが付されたブロックが光を出力する副画素の位置を表している。
【０１７４】
なお、図２３に示すステップＳ４２において算出された輝度値が割り当てられる副画素については前述した第１の実施形態において説明した通りであるため、ここではその詳しい説明を省略する。
【０１７５】
ここで、例えば表示領域ＤＡの外周に沿った白色の枠（白線）を含む画像を表示するためのＲＧＢ画像信号をＲＧＢＧ画像信号に変換する場合について説明する。
【０１７６】
図２６は、上記した表示領域ＤＡの外周に沿った白色の枠を含む画像を表示するためのＲＧＢ画像信号と、変換処理によって当該ＲＧＢ画像信号から変換されたＲＧＢＧ画像信号との対応関係を表している。
【０１７７】
なお、図２６においては、ハッチングが付されているブロックが光を出力する（つまり、輝度値が０でない）副画素を示し、当該ブロック内の文字（Ｒ、Ｇ１、Ｂ及びＧ２）が当該副画素が出力する光の色（つまり、副画素ＳＲ、ＳＧ１、ＳＢ及びＳＧ２）を示している。
【０１７８】
図２６に示すように、画素配列の１行目の始端（左端）に対応する２画素分のＲＧＢ画像信号７１に対して変換処理が実行された場合、当該ＲＧＢ画像信号７１は、ＲＧＢＧ画像信号８１に変換される。同様に、画素配列の１行目の終端（右端）に対応する２画素分のＲＧＢ画像信号７２に対して変換処理が実行された場合、当該ＲＧＢ画像信号７２は、ＲＧＢＧ画像信号８２に変換される。ここでは、ＲＧＢ画像信号７１及び７２についてのみ説明したが、行方向においてＲＧＢ画像信号７１及び７２の間に配置されている他のＲＧＢ画像信号についても同様に変換処理が実行される。また、ここでは画素配列の１行目について説明したが、他の奇数行についても同様である。
【０１７９】
ここで、本実施形態における画素配列によれば、奇数行の画素ＰＸ及び偶数行の画素ＰＸは行方向に半画素分ずれた状態で配置されている。
【０１８０】
このような画素配列の場合、例えば画素配列の２行目の始端には、副画素ＳＲではなく、副画素ＳＢが配置されている。これに対して、画素配列の２行目において上記した奇数行（例えば、１行目）と同様の処理が実行された場合には、当該２行目の始端には副画素ＳＲの輝度値が割り当てられるため、本実施形態における画素配列に対応したＲＧＢＧ画像信号を得ることができない。
【０１８１】
このため、画素配列の２行目においては、図２６に示すように、副画素ＳＲ、ＳＧ及びＳＢの輝度値として０を含む第１ＲＧＢ画像信号と、上記した白色の枠に相当する副画素ＳＲ、ＳＧ及びＳＢの輝度値を含む第２ＲＧＢ画像信号との２画素分のＲＧＢ画像信号７３に対して変換処理を実行することによって、当該ＲＧＢ画像信号７３をＲＧＢＧ画像信号８３に変換する。これによれば、ＲＧＢＧ画像信号８３に含まれる副画素ＳＢ及びＳＧ１の輝度値を、画素配列の２行目の始端に配置されている副画素ＳＢ及びＳＧ２の輝度値とすることができる。
【０１８２】
以降は２画素分のＲＧＢ画像信号を１画素分のＲＧＢＧ画像信号に変換する処理が順次実行されるが、画素配列の２行目の終端においては、上記した画素配列により１画素分のＲＧＢ画像信号をＲＧＢＧ画像信号に変換する必要がある。
【０１８３】
この場合、図２６に示すように、白色の枠に相当する副画素ＳＲ、ＳＧ及びＳＢの輝度値を含む第１ＲＧＢ画像信号（上記した２行目の終端に対応する１画素分のＲＧＢ画像信号）と、副画素ＳＲ、ＳＧ及びＳＢの輝度値として０を含む第２ＲＧＢ画像信号の２画素分のＲＧＢ画像信号７４に対して変換処理を実行することによって、当該ＲＧＢ画像信号７４をＲＧＢＧ画像信号８４に変換する。これによれば、ＲＧＢＧ画像信号８４に含まれる副画素ＳＲ及びＳＧ１の輝度値を、画素配列の２行目の終端に配置されている副画素ＳＲ及びＳＧ１の輝度値とすることができる。
【０１８４】
ここで、上記したような変換処理が実行された場合、画素配列の１行目に対応するＲＧＢ画像信号７２に含まれる第１ＲＧＢ画像信号の副画素ＳＲ、ＳＧ及びＳＢの輝度値に基づいて表現すべき白色は、例えばＲＧＢＧ画像信号８２に含まれる副画素ＳＲの輝度値と副画素ＳＧ１の輝度値と副画素ＳＢの輝度値の一部とに基づいて出力される光で表現することができる。
【０１８５】
一方、ＲＧＢ画像信号７２に含まれる第２ＲＧＢ画像信号の副画素ＳＲ、ＳＧ及びＳＢの輝度値に基づいて表現すべき白色は、ＲＧＢＧ画像信号８２に含まれる副画素ＳＢの輝度値の一部と副画素ＳＧ２の輝度値と上記した図２３において説明した当該ＲＧＢＧ画像信号８２の次のＲＧＢＧ画像信号に含まれることになる副画素ＳＲの輝度値とに基づいて出力される光で表現されるべきである。
【０１８６】
しかしながら、画素配列の１行目の終端に配置されている副画素は副画素ＳＧ２であり、副画素ＳＲから出力される光（つまり、赤色成分）を利用することはできないため、当該画素配列の１行目の終端では赤色成分が不足する。なお、画素配列の１行目以外の奇数行についても同様である。
【０１８７】
また、ＲＧＢ画像信号７４に含まれる第１ＲＧＢ画像信号の副画素ＳＲ、ＳＧ及びＳＢの輝度値に基づいて表現すべき白色は、ＲＧＢＧ画像信号８４に含まれる副画素ＳＲの輝度値と副画素ＳＧ１の輝度値と副画素ＳＢの輝度値に基づいて出力される光で表現されるべきである。
【０１８８】
しかしながら、画素配列の２行目の終端に配置されている副画素は副画素ＳＧ１であり、副画素ＳＢから出力される光（つまり、青色成分）を利用することができないため、当該画素配列の２行目の終端では青色成分が不足する。なお、画素配列の２行目以外の偶数行についても同様である。
【０１８９】
この場合、画素配列の各行の終端部分においては赤色成分または青色成分が欠けることになる。これによれば、画素配列の各行の終端部分において列方向に表示される白色の枠（白線）の辺りで緑色がかった色彩が視認されることになり、画質の低下を招く。
【０１９０】
そこで、本実施形態においては、変換処理によって表示パネル１１内（つまり、複数の画素ＰＸ）で表現することができなくなるＲＧＢ画像信号に含まれる副画素ＳＲ及びＳＢの輝度値に基づいて、ＲＧＢＧ画像信号における副画素ＳＲ及びＳＢの輝度値を変更（調整）するものとする。
【０１９１】
具体的には、図２７に示すように、例えばＲＧＢ画像信号７２から変換されたＲＧＢＧ画像信号８２に含まれる副画素ＳＢの輝度値の一部と副画素ＳＧ２の輝度値とに基づいて出力される光と共に白色を表現するための赤色成分の光を出力させるための副画素ＳＲの輝度値は、次の行（つまり、２行目）の終端に配置されている画素ＰＸに含まれる副画素ＳＲの輝度値に加算される。ここでは画素配列の１行目について説明したが、１行目以外の奇数行についても同様である。
【０１９２】
また、例えばＲＧＢ画像信号７４から変換されたＲＧＢＧ画像信号８４に含まれる副画素ＳＲの輝度値と副画素ＳＧ１の輝度値とに基づいて出力される光と共に白色を表現するための青色成分の光を出力させるための副画素ＳＲの輝度値は、次の行（つまり、３行目）の終端に配置されている画素ＰＸに含まれる副画素ＳＢの輝度値に加算される。ここでは画素配列の２行目について説明したが、２行目以外の偶数行についても同様である。なお、画素配列の最終行においては、次の行が存在しないため、このような処理は実行されない。
【０１９３】
本実施形態において実行されるレンダリング処理において、例えば画素配列の１行目に対応するＲＧＢ画像信号に対して変換処理が実行される際には、図１６に示すステップＳ２２の処理に相当する処理が実行される。具体的には、次の行である２行目の副画素ＳＲの輝度値に加算される副画素ＳＲの輝度値がバッファに格納される。
【０１９４】
画素配列の２行目に対応するＲＧＢ画像信号に対して変換処理が実行される際には、図１６に示すステップＳ２３の処理に相当する処理が実行され、バッファに格納されている輝度値が画素配列の２行目の終端に配置されている画素ＰＸに含まれる副画素ＳＲの輝度値に加算される。更に、次の行である３行目の副画素ＳＢの輝度値に加算される副画素ＳＢの輝度値がバッファに格納される。
【０１９５】
画素配列の３行目に対応するＲＧＢ画像信号に対して変換処理が実行される際には、バッファに格納されている輝度値が画素配列の３行目の終端に配置されている画素ＰＸに含まれる副画素ＳＢの輝度値に加算される。更に、次の行である４行目の副画素ＳＢの輝度値に加算される副画素ＳＧの輝度値がバッファに格納される。
【０１９６】
以下、同様の処理が実行される。画素配列の最終行まで処理が実行されるとレンダリング処理は終了される。
【０１９７】
このようなレンダリング処理においては、ＲＧＢ画像信号をＲＧＢＧ画像信号に変換する変換処理によって表示パネル１１に表示されなくなる赤色成分（副画素ＳＲの輝度値）及び青色成分（副画素ＳＢの輝度値）をそれぞれ次の行の副画素ＳＲ及びＳＢで表現することができるようなＲＧＢＧ画像信号を得ることができる。なお、レンダリング処理が終了されると、当該レンダリング処理によって得られたＲＧＢＧ画像信号に基づいて表示パネル１１に画像が表示される。
【０１９８】
上記したように本実施形態においては、変換処理によって奇数行の終端に配置されている副画素ＳＧ２（第４副画素）の次の副画素ＳＲ（第１副画素）で表現されることになるＲＧＢ画像信号に含まれる副画素ＳＲの輝度値を、当該奇数行の次の偶数行の終端に配置されている画素ＰＸに含まれる副画素ＳＲの輝度値に加算する。
【０１９９】
同様に、本実施形態においては、変換処理によって偶数行の終端に配置されている副画素ＳＧ１の次の副画素ＳＢで表現されることになるＲＧＢ画像信号に含まれる副画素ＳＢの輝度値を、当該偶数行の次の奇数行の終端に配置されている画素ＰＸに含まれる副画素ＳＢの輝度値に加算する。
【０２００】
本実施形態においては、このような構成により、図２６において説明したように例えば白色の枠を表示する際に各行の終端において不足する赤色成分及び青色成分を補うことが可能であるため、入力されたＲＧＢ画像信号で表示されるべき画像と差異の少ない画像を表示することができ、画質の低下を抑制することが可能となる。
【０２０１】
ここで、本実施形態の各画素ＰＸにおいては、副画素ＳＲ、ＳＧ１、ＳＢ及びＳＧ２が左側から画素配列の行方向に並べられて配置されているものとして説明したが、このような副画素の並びは例えば逆であっても構わない。この場合には、前述した第１の実施形態において説明したように、画素配列の各行の右端を始端、左端を終端としてレンダリング処理を実行することによって、当該第１の実施形態と同様に画質の低下を抑制することができる。
【０２０２】
なお、本実施形態において説明した画素配列は一例であり、他の画素配列を有していてもよいことは前述した第１の実施形態と同様である。
【０２０３】
（第４の実施形態）  
次に、第４の実施形態について説明する。本実施形態に係る表示装置の構成等については、前述した第１の実施形態と同様であるため、適宜、図１及び図２等を用いて説明する。
【０２０４】
第１及び第２の実施形態においては副画素ＳＲ、ＳＧ、ＳＢ及びＳＷを含む複数の画素ＰＸが表示パネル１１に配置されており、第３の実施形態においては副画素ＳＲ、ＳＧ１、ＳＢ及びＳＧ２を含む複数の画素ＰＸが表示パネル１１に配置されているものとして説明したが、本実施形態は、副画素ＳＲ、ＳＹ１、ＳＧ１、ＳＢ、ＳＹ１及びＳＧ２を含む複数の画素ＰＸが表示パネル１１に配置されている点で前述した各実施形態とは異なる。
【０２０５】
ここで、図２８を参照して、本実施形態における画素配列について説明する。図２８は、本実施形態における表示パネル１１（表示領域ＤＡ）に配置されている複数の画素ＰＸの配列（画素配列）を簡易的に示している。
【０２０６】
本実施形態において、表示パネル１１に配置されている画素ＰＸの各々は、上記したように副画素ＳＲ、ＳＹ１、ＳＧ１、ＳＢ、ＳＹ２及びＳＧ２を含む。なお、図２８において、マトリクス状に配置されている各ブロックは、それぞれ各画素ＰＸに含まれる副画素を表している。また、「Ｒ」と表記されているブロックは副画素ＳＲ、「Ｙ１」と表記されているブロックは副画素ＳＹ１、「Ｇ１」と表記されているブロックは副画素ＳＧ１、「Ｂ」と表記されているブロックは副画素ＳＢ、「Ｙ２」と表記されているブロックは副画素ＳＹ２、「Ｇ２」と表記されているブロックは副画素ＳＧ２を表している。
【０２０７】
なお、副画素ＳＹ１及びＳＹ２は、黄色と緑色の間（黄色味を帯びた緑色）の波長帯域に対応する光を出力する副画素である。また、副画素ＳＧ１及びＳＧ２は、緑色と青色の間（青味を帯びた緑色）の波長帯域に対応する光を出力する副画素である。副画素ＳＲ及びＳＢについては、前述した第１の実施形態において説明した通りである。
【０２０８】
本実施形態における画素配列の奇数行（例えば、１行目等）は、図２８に示すように行方向に並べられた副画素ＳＲ、ＳＹ１、ＳＧ１、ＳＢ、ＳＹ２及びＳＧ２を含む複数の画素ＰＸが行方向に配置されて構成される。同様に、本実施形態における画素配列の偶数行（例えば、２行目等）は、行方向に並べられた副画素ＳＲ、ＳＹ１、ＳＧ１、ＳＢ、ＳＹ２及びＳＧ２を含む複数の画素ＰＸが行方向に配置されて構成される。
【０２０９】
このように各画素ＰＸが副画素ＳＲ、ＳＹ１、ＳＧ１、ＳＢ、ＳＹ２及びＳＧ２を含む構成によれば、前述した図４に示すような各画素ＰＸが副画素ＳＲ、ＳＧ及びＳＧを含む構成と比較して、明度を向上させることができるとともに、当該画素ＰＸにおいて表現可能な色の範囲（色の表現範囲）を広げることが可能となる。
【０２１０】
ここで、本実施形態において、奇数行の画素ＰＸ及び偶数行の画素ＰＸは、当該奇数行の画素ＰＸに含まれる副画素ＳＲと偶数行の画素ＰＸに含まれる副画素ＳＢとが列方向において隣接するように配置されている。換言すれば、本実施形態において、奇数行の画素ＰＸと偶数行の画素ＰＸとは、行方向に半画素分ずれた状態で配置されている。
【０２１１】
この画素配列においては、奇数行の始端には副画素ＳＲが配置され、当該奇数行の終端には副画素ＳＧ２が配置される。また、偶数行の始端には副画素ＳＢが配置され、当該偶数用の終端には副画素ＳＧ１が配置される。
【０２１２】
次に、図２９に示すフローチャートを参照して、表示パネル１１に画像を表示する際の表示装置１０の処理手順について説明する。ここでは、パネルドライバ１１３によって実行される処理について主に説明する。
【０２１３】
まず、パネルドライバ１１３は、例えばホスト装置ＨＯＳから出力される画像信号を入力する（ステップＳ５１）。なお、ステップＳ１において入力される画像信号は、例えば１フレームの画像を表示するための、画素毎に副画素ＳＲ、ＳＧ及びＳＢの輝度値を含むＲＧＢ画像信号であるものとする。
【０２１４】
次に、パネルドライバ１１３は、ステップＳ１において入力されたＲＧＢ画像信号を、副画素ＳＲ、ＳＹ、ＳＧ及びＳＢの輝度値を含む画像信号（以下、４色画像信号と表記）に変換する処理（３色４色変換）を実行する（ステップＳ５２）。このステップＳ５２の処理によれば、図３０に示すように、１画素分のＲＧＢ画像信号が１画素分の４色画像信号に変換される。
【０２１５】
ここで、上記したように表示パネル１１に配置されている各画素ＰＸには、副画素ＳＲ、ＳＹ１、ＳＧ１、ＳＢ、ＳＹ２及びＳＧ２が含まれている。この場合、ステップＳ５２においてＲＧＢ画像信号から変換された４色画像信号は表示パネル１１に対応していない（副画素ＳＲ、ＳＹ１、ＳＧ１、ＳＢ、ＳＹ２及びＳＧ２の輝度値を含む画像信号ではない）ため、当該４色画像信号に基づいて表示パネル１１に画像を表示する際には、当該４色画像信号をＲＹＧＢ画像信号に変換する必要がある。なお、ＲＹＧＢ画像信号とは、画素ＰＸ毎に副画素ＳＲ、ＳＹ１、ＳＧ１、ＳＢ、ＳＹ２及びＳＧ２の輝度値を含む画像信号である。
【０２１６】
このため、パネルドライバ１１３は、ステップＳ５２において４色画像信号に対してレンダリング処理を実行する（ステップＳ５３）。なお、本実施形態におけるレンダリング処理の詳細については後述する。
【０２１７】
ステップＳ５３の処理が実行されると、パネルドライバ１１３は、当該ステップＳ５３におけるレンダリング処理の結果として、ＲＹＧＢ画像信号を出力する（ステップＳ５４）。これにより、パネルドラバ１１３は、ＲＹＧＢ画像信号に基づいて走査線駆動部２１、データ信号線駆動部２２及び電源線駆動部２３等を駆動させ、表示パネル１１に画像を表示する。
【０２１８】
以下、本実施形態におけるレンダリング処理について説明する。図３１は、レンダリング処理において４色画像信号（副画素ＳＲ、ＳＹ、ＳＧ及びＳＢの輝度値）をＲＹＧＢ画像信号（副画素ＳＲ、ＳＹ１、ＳＧ１、ＳＢ、ＳＹ２及びＳＧ２の輝度値）に変換する変換処理について説明ための図である。
【０２１９】
本実施形態においては、２画素分の４色画像信号（２画素分の副画素ＳＲ、ＳＹ、ＳＧ及びＳＢの輝度値）が１画素分のＲＹＧＢ画像信号（つまり、１画素分の副画素ＳＲ、ＳＹ１、ＳＧ１、ＳＢ、ＳＹ２及びＳＧ２の輝度値）に変換される。
【０２２０】
ここで、本実施形態における変換処理としては、図３１に示すステップＳ６１〜Ｓ６５の処理が実行される。なお、図３１に示すように、このステップＳ６１〜Ｓ６５の処理は、上述した図２３において説明したＲＧＢ画像信号に含まれる副画素ＳＧの輝度値を副画素ＳＹ及びＳＧの輝度値とし、当該図２３において説明したＲＧＢＧ画像信号における副画素Ｇ１の輝度値を副画素Ｙ１及びＧ１、副画素Ｇ２の輝度値を副画素Ｙ２及びＧ２としたステップＳ４１〜Ｓ４５の処理と同様である。
【０２２１】
更に、本実施形態においては、例えば表示領域ＤＡの外周に沿った白色の枠（白線）を含む画像を表示する際に、前述した図２６において説明した画素配列の奇数行の終端で赤色成分が不足し、偶数行の終端で青色成分が不足する点についても前述した第３の実施形態と同様である。このため、本実施形態においては、奇数行の終端で不足する赤色成分及び偶数行の終端で不足する青色成分を補うために、前述した第３の実施形態において図２７等を用いて説明した処理が実行される。
【０２２２】
上記したように本実施形態においては、表示パネル１１に配置されている各画素ＰＸが副画素ＳＲ、ＳＹ１、ＳＧ１、ＳＢ、ＳＹ２及びＳＧ２を含む構成であっても、前述した第３の実施形態と同様に画質の低下を抑制することができる。
【０２２３】
ここで、本実施形態の各画素ＰＸにおいては、副画素ＳＲ、ＳＹ１、ＳＧ１、ＳＢ、ＳＹ２及びＳＧ２が左側から画素配列の行方向に並べられて配置されているものとして説明したが、このような副画素の並びは例えば逆であっても構わない。この場合には、前述した第１の実施形態と同様に、画素配列の各行の右端を始端、左端を終端としてレンダリング処理を実行することによって、同様に画質の低下を抑制することができる。
【０２２４】
なお、本実施形態において説明した画素配列は一例であり、他の画素配列を有していてもよいことは前述した第１の実施形態と同様である。
【０２２５】
以下、本実施形態に係る発明を付記する。  
［Ｃ１］  
行方向に並べられた第１副画素、第２副画素、第３副画素及び第４副画素を含み、画素配列の第１行を構成する複数の第１画素と、前記行方向に並べられた第１副画素、第２副画素、第３副画素及び第４副画素を含み、前記画素配列において前記第１行と列方向に隣接する第２行を構成する複数の第２画素とが列方向に交互に配置された表示パネルと、  
前記画素配列の各行に対応する前記第１副画素、前記第２副画素及び前記第３副画素の輝度値を含む第１画像信号を入力して前記表示パネルに画像を表示する表示制御部と  
を具備し、  
前記複数の第１画素及び前記複数の第２画素は、当該複数の第１画素に含まれる第１副画素と当該複数の第２画素に含まれる第３副画素とが列方向において互いに隣接するように配置されており、  
前記表示制御部は、  
前記入力された第１画像信号を、前記第１副画素、前記第２副画素、前記第３副画素及び前記第４副画素の輝度値を含む第２画像信号に変換する変換処理を実行し、  
前記変換処理が実行された場合に、前記第１行を構成する複数の第１画素と前記第２行を構成する複数の第２画素とに基づく画素配列に起因して前記表示パネル内で表現することができなくなる前記第１画像信号に含まれる前記第３副画素の輝度値に基づいて、前記前記第２画像信号に含まれる第３副画素の輝度値を変更し、  
前記第３副画素の輝度値が変更された第２画像信号に基づいて、前記表示パネルに前記画像を表示する  
表示装置。  
［Ｃ２］  
前記第１行の始端には第１副画素が配置されており、前記第１行の終端には第４副画素が配置されており、  
前記第２行の始端には第３副画素が配置されており、前記第２行の終端には第２副画素が配置されており、  
前記表示制御部は、前記変換処理によって前記第２行の終端に配置されている第２副画素の次の第３副画素で表現することになる前記第１画像信号に含まれる当該第２行に対応する第３副画素の輝度値を、当該第２行の次の第１行の終端に配置されている第１画素に含まれる第３副画素の輝度値に加算することによって当該第３副画素の輝度値を変更する
［Ｃ１］記載の表示装置。  
［Ｃ３］  
前記表示制御部は、前記変換処理によって前記第１行の始端に配置されている第１画素に含まれる第３副画素で表現することになる前記第１画像信号に含まれる前記第２行に対応する第３副画素の輝度値を、当該第２行の始端に配置されている第２画素に含まれる第３副画素の輝度値に加算することによって当該第３副画素の輝度値を変更する［Ｃ２］記載の表示装置。  
［Ｃ４］  
前記第１副画素は、赤色の波長帯域に対応する光を出力する副画素であり、  
前記第２副画素は、緑色の波長帯域に対応する光を出力する副画素であり、  
前記第３副画素は、青色の波長帯域に対応する光を出力する副画素であり、  
前記第４副画素は、白色の波長帯域に対応する光を出力する副画素である  
［Ｃ１］〜［Ｃ３］のいずれか一項に記載の表示装置。
［Ｃ５］  
前記表示制御部は、前記変換処理によって前記第１行の終端に配置されている第４副画素の次の第１副画素で表現されることになる前記第１画像信号に含まれる当該第１行に対応する第１副画素の輝度値の少なくとも一部を、当該第１行の次の第２行の終端に配置されている第２画素に含まれる第１副画素の輝度値に加算する［Ｃ２］記載の表示装置。  
［Ｃ６］  
前記第１副画素は、赤色の波長帯域に対応する光を出力する副画素であり、  
前記第２副画素及び前記第４副画素は、緑色の波長帯域に対応する光を出力する副画素であり、  
前記第３副画素は、青色の波長帯域に対応する光を出力する副画素である  
［Ｃ５］記載の表示装置。  
［Ｃ７］  
前記第１副画素は、赤色の波長帯域に対応する光を出力する副画素であり、  
前記第２副画素及び前記第４副画素は、それぞれ黄色と緑色の波長帯域に対応する光を出力する副画素及び緑色と青色の波長帯域に対応する光を出力する副画素を含み、  
前記第３副画素は、青色の波長帯域に対応する光を出力する副画素である  
［Ｃ５］記載の表示装置。  
［Ｃ８］  
行方向に並べられた第１副画素、第２副画素、第３副画素及び第４副画素を含み、画素配列の第１行を構成する複数の第１画素と、前記行方向に並べられた第１副画素、第２副画素、第３副画素及び第４副画素を含み、前記画素配列において前記第１行と列方向に隣接する第２行を構成する複数の第２画素とが列方向に交互に配置された表示パネルを備える表示装置が実行する表示方法であって、  
前記画素配列の各行に対応する前記第１副画素、前記第２副画素及び前記第３副画素の輝度値を含む第１画像信号を入力するステップと、  
前記入力された第１画像信号に基づいて前記表示パネルに画像を表示するステップと  
を具備し、  
前記複数の第１画素及び前記複数の第２画素は、当該複数の第１画素に含まれる第１副画素と当該複数の第２画素に含まれる第３副画素とが列方向において互いに隣接するように配置されており、  
前記表示するステップは、
前記入力された第１画像信号を、前記第１副画素、前記第２副画素、前記第３副画素及び前記第４副画素の輝度値を含む第２画像信号に変換する変換処理を実行するステップと、  
前記変換処理が実行された場合に、前記第１行を構成する複数の第１画素と前記第２行を構成する複数の第２画素とに基づく画素配列に起因して前記表示パネル内で表示することができなくなる前記第１画像信号に含まれる前記第３副画素の輝度値に基づいて、前記第２画像信号に含まれる第３副画素の輝度値を変更するステップと、  
前記第３副画素の輝度値が変更された第２画像信号に基づいて、前記表示パネルに前記画像を表示するステップと  
を含む  
表示方法。  
［Ｃ９］  
前記第１行の始端には前記第１副画素が配置されており、前記第１行の終端には前記第４副画素が配置されており、  
前記第２行の始端には前記第３副画素が配置されており、前記第２行の終端には前記第２副画素が配置されており、  
前記変更するステップは、前記変換処理によって前記第２行の終端に配置されている第２副画素の次の第３副画素で表現することになる前記第１画像信号に含まれる当該第２行に対応する第３副画素の輝度値を、当該第２行の次の第１行の終端に配置されている第１画素に含まれる第３副画素の輝度値に加算するステップを含む  
［Ｃ８］記載の表示方法。
［Ｃ１０］  
前記変更するステップは、前記変換処理によって前記第１行の始端に配置されている第１画素に含まれる第３副画素で表現することになる前記第１画像信号に含まれる前記第２行に対応する第３副画素の輝度値を、当該第２行の始端に配置されている第２画素に含まれる第３副画素の輝度値に加算するステップを含む［Ｃ９］記載の表示方法。  
［Ｃ１１］  
前記第１副画素は、赤色の波長帯域に対応する光を出力する副画素であり、  
前記第２副画素は、緑色の波長帯域に対応する光を出力する副画素であり、  
前記第３副画素は、青色の波長帯域に対応する光を出力する副画素であり、  
前記第４副画素は、白色の波長帯域に対応する光を出力する副画素である  
［Ｃ８］〜［Ｃ１０］のいずれか一項に記載の表示方法。
［Ｃ１２］  
前記表示するステップは、前記変換処理によって前記第１行の終端に配置されている第４副画素の次の第１副画素で表現されることになる前記第１画像信号に含まれる当該第１行に対応する第１副画素の輝度値の少なくとも一部を、当該第１行の次の第２行の終端に配置されている第２画素に含まれる第１副画素の輝度値に加算する［Ｃ９］記載の表示方法。  
［Ｃ１３］  
前記第１副画素は、赤色の波長帯域に対応する光を出力する副画素であり、  
前記第２副画素及び前記第４副画素は、緑色の波長帯域に対応する光を出力する副画素であり、  
前記第３副画素は、青色の波長帯域に対応する光を出力する副画素である  
［Ｃ１２］記載の表示方法。
［Ｃ１４］  
前記第１副画素は、赤色の波長帯域に対応する光を出力する副画素であり、  
前記第２副画素及び前記第４副画素は、それぞれ黄色の波長帯域に対応する光を出力する副画素及び緑色の波長帯域に対応する光を出力する副画素を含み、  
前記第３副画素は、青色の波長帯域に対応する光を出力する副画素である  
［Ｃ１２］記載の表示方法。
【０２２６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０２２７】
１０…表示装置、１１…表示パネル、１２…バックライトユニット、１１１…第１基板、１１２…第２基板、１１３…パネルドライバ、２１…走査線駆動部、２２…データ信号線駆動部、２３…電源線駆動部、ＤＡ…表示領域、ＰＸ…画素、ＳＲ…副画素（第１副画素）、ＳＧ…副画素（第２副画素）、ＳＧ１…副画素（第２副画素）、ＳＧ２…（第４副画素）、ＳＢ…副画素（第３副画素）、ＳＷ…副画素（第４副画素）、ＳＹ１…副画素（第２副画素）、ＳＹ２…副画素（第４副画素）。
【図１】
2020008662.tif 000003
【図２】
2020008662.tif 000004
【図３】
2020008662.tif 000005
【図４】
2020008662.tif 000006
【図５】
2020008662.tif 000007
【図６】
2020008662.tif 000008
【図７】
2020008662.tif 000009
【図８】
2020008662.tif 000010
【図９】
2020008662.tif 000011
【図１０】
2020008662.tif 000012
【図１１】
2020008662.tif 000013
【図１２】
2020008662.tif 000014
【図１３】
2020008662.tif 000015
【図１４】
2020008662.tif 000016
【図１５】
2020008662.tif 000017
【図１６】
2020008662.tif 000018
【図１７】
2020008662.tif 000019
【図１８】
2020008662.tif 000020
【図１９】
2020008662.tif 000021
【図２０】
2020008662.tif 000022
【図２１】
2020008662.tif 000023
【図２２】
2020008662.tif 000024
【図２３】
2020008662.tif 000025
【図２４】
2020008662.tif 000026
【図２５】
2020008662.tif 000027
【図２６】
2020008662.tif 000028
【図２７】
2020008662.tif 000029
【図２８】
2020008662.tif 000030
【図２９】
2020008662.tif 000031
【図３０】
2020008662.tif 000032
【図３１】
2020008662.tif 000033